(57)【要約】  本発明の一実施例によれば、ｍｍＷａｖｅ通信システムにおいて端末が位相雑音を除去するための信号を基地局が送信する方法を提供することができる。このとき、位相雑音を除去するための信号を送信する方法は、下りリンク信号の位相雑音推定のためのＰＴＲＳを生成するステップ、下りリンクシグナリングを介してＰＴＲＳに対するＰＴＲＳパワーブースティングレベル情報を端末に送信するステップ及びＰＴＲＳパワーブースティングレベル情報に基づいて下りリンクシグナリングを介してＰＴＲＳを送信するステップを含むことができる。このとき、ＰＴＲＳパワーブースティングレベル情報はＭＣＳレベル及び物理リソースブロックサイズのうち少なくともいずれか１つ以上に基づいて決定されることができる。【選択図】  図１７
2019535208.tif 000002
【特許請求の範囲】
【請求項１】
ｍｍＷａｖｅ通信システムにおいて、端末が位相雑音を除去するための信号を基地局が送信する方法であって、
下りリンク信号の位相雑音推定のためのＰＴＲＳ（Ｐｈａｓｅ  Ｔｒａｃｋｉｎｇ  Ｒｅｆｅｒｅｎｃｅ  Ｓｉｇｎａｌ）を生成するステップと、
下りリンクシグナリングを介して前記ＰＴＲＳに対するＰＴＲＳパワーブースティングレベル（ＰＴＲＳ  Ｐｏｗｅｒ  Ｂｏｏｓｔｉｎｇ  Ｌｅｖｅｌ）情報を端末に送信するステップと、
前記ＰＴＲＳパワーブースティングレベル情報に基づいて、前記ＰＴＲＳを送信するステップと、を含み、
前記ＰＴＲＳパワーブースティングレベル情報は、ＰＴＲＳポート数、ＰＴＲＳポートに関わるＤＭＲＳポート数及び前記ＰＴＲＳポートに関わるＤＭＲＳポートグループのＤＭＲＳポート数のうち少なくともいずれか１つ以上に基づいて決定される、信号送信方法。
【請求項２】
前記ＰＴＲＳパワーブースティングレベル情報は、ＰＴＲＳパワーブースティングのオンオフ（ｏｎ  ｏｆｆ）状態及び前記ＰＴＲＳパワーブースティングのレベル値のうち少なくともいずれか１つ以上を指示する情報である、請求項１に記載の信号送信方法。
【請求項３】
前記ＰＴＲＳに対するＰＴＲＳパワーブースティングレベル情報は、前記端末に明示的に又は暗示的に送信される、請求項１に記載の信号送信方法。
【請求項４】
前記ＰＴＲＳパワーブースティングレベル情報は、下りリンクＤＣＩ（Ｄｏｗｎｌｉｎｋ  Ｃｏｎｔｒｏｌ  Ｉｎｆｏｒｍａｔｉｏｎ）又はＲＲＣ（Ｒａｄｉｏ  Ｒｅｓｏｕｒｃｅ  Ｃｏｎｔｒｏｌ）シグナリングを介して前記端末に送信される、請求項１に記載の信号送信方法。
【請求項５】
前記ＰＴＲＳパワーブースティングレベル情報は、予め設定された規則に基づいて、前記端末に設定（ｃｏｎｆｉｇｕｒｅ）される、請求項１に記載の信号送信方法。
【請求項６】
前記予め設定された規則は、前記ＰＴＲＳパワーブースティングの前記レベル値がレイヤー数に基づいて決定されることを意味する、請求項５に記載の信号送信方法。
【請求項７】
予め設定された規則は、前記ＰＴＲＳパワーブースティングの前記レベル値が前記ＰＴＲＳポート数に基づいて決定されることを意味する、請求項５に記載の信号送信方法。
【請求項８】
予め設定された規則は、前記ＰＴＲＳパワーブースティングの前記レベル値が活性化したＰＴＲＳポート数に基づいて決定されることを意味する、請求項５に記載の信号送信方法。
【請求項９】
前記レイヤー数がＬである場合、前記ＰＴＲＳパワーブースティングの前記レベル値は、数式
Ｐｏｗｅｒ  ｂｏｏｓｔｉｎｇ  ｌｅｖｅｌ＝１０×Ｌｏｇ２（Ｌ）＋ＺｄＢ
に基づいて決定され、
前記Ｚは、ＲＲＣ及びＤＣＩのうち少なくともいずれか１つによって指示される、請求項６に記載の信号送信方法。
【請求項１０】
前記Ｚは、ＭＣＳレベルによって暗示的（ｉｍｐｌｉｃｉｔ）に決定され、
前記ＭＣＳレベルが閾値以上である場合、前記Ｚは３ｄＢと設定され、前記ＭＣＳレベルが前記閾値を超える場合、前記Ｚは０ｄＢと設定される、請求項９に記載の信号送信方法。
【請求項１１】
前記ＰＴＲＳパワーブースティングの前記レベル値は、３ｄＢ、４．７７ｄＢ、６ｄＢ又は９ｄＢのうちいずれか１つに決定される、請求項１に記載の信号送信方法。
【請求項１２】
前記ＤＭＲＳポート数は、レイヤー数に対応する、請求項１に記載の信号送信方法。
【請求項１３】
前記ＰＴＲＳパワーブースティングの前記レベル値は、前記ＰＴＲＳとＰＤＳＣＨ（Ｐｈｙｓｉｃａｌ  Ｄｏｗｎｌｉｎｋ  Ｓｈａｒｅｄ  Ｃｈａｎｎｅｌ）とのＥＰＲＥ比率で表現される、請求項１に記載の信号送信方法。
【請求項１４】
ｍｍＷａｖｅ通信システムにおいて、端末が位相雑音を除去するための信号を送信する基地局であって、
外部デバイスから信号を受信する受信部と、
外部デバイスに信号を送信する送信部と、
前記受信部及び送信部を制御するプロセッサであって、
前記プロセッサは、
下りリンク信号の位相雑音推定のためのＰＴＲＳ（Ｐｈａｓｅ  Ｔｒａｃｋｉｎｇ  Ｒｅｆｅｒｅｎｃｅ  Ｓｉｇｎａｌ）を生成して、
下りリンクシグナリングを介して前記ＰＴＲＳに対するＰＴＲＳパワーブースティングレベル（ＰＴＲＳ  Ｐｏｗｅｒ  Ｂｏｏｓｔｉｎｇ  Ｌｅｖｅｌ）情報を端末に送信して、
前記ＰＴＲＳパワーブースティングレベル情報に基づいて、下りリンクシグナリングを介して前記ＰＴＲＳを送信して、
前記ＰＴＲＳパワーブースティングレベル情報は、ＰＴＲＳポート数、ＰＴＲＳポートに関わるＤＭＲＳポート数及び前記ＰＴＲＳポートに関わるＤＭＲＳポートグループのＤＭＲＳポート数のうち少なくともいずれか１つ以上に基づいて決定される、基地局。
【請求項１５】
前記ＰＴＲＳパワーブースティングレベル情報は、ＰＴＲＳパワーブースティングのオンオフ（ｏｎ  ｏｆｆ）状態及び前記ＰＴＲＳパワーブースティングのレベル値のうち少なくともいずれか１つ以上を指示する情報である、請求項１４に記載の信号送信方法。
【請求項１６】
前記ＰＴＲＳに対するＰＴＲＳパワーブースティングレベル情報は、前記端末に明示的に又は暗示的に送信される、請求項１４に記載の信号送信方法。
【請求項１７】
前記ＰＴＲＳパワーブースティングレベル情報は、下りリンクＤＣＩ（Ｄｏｗｎｌｉｎｋ  Ｃｏｎｔｒｏｌ  Ｉｎｆｏｒｍａｔｉｏｎ）又はＲＲＣ（Ｒａｄｉｏ  Ｒｅｓｏｕｒｃｅ  Ｃｏｎｔｒｏｌ）シグナリングを介して前記端末に送信される、請求項１４に記載の信号送信方法。
【請求項１８】
前記ＰＴＲＳパワーブースティングレベル情報は、予め設定された規則に基づいて前記端末に設定（ｃｏｎｆｉｇｕｒｅ）される、請求項１４に記載の信号送信方法。
【請求項１９】
前記予め設定された規則は、前記ＰＴＲＳパワーブースティングの前記レベル値がレイヤー数に基づいて決定されることを意味する、請求項１８に記載の信号送信方法。
【請求項２０】
前記予め設定された規則は、前記ＰＴＲＳパワーブースティングの前記レベル値が前記ＰＴＲＳポート数に基づいて決定されることを意味する、請求項１８に記載の信号送信方法。
【発明の詳細な説明】
【技術分野】
【０００１】
本発明は、無線通信システムに関し、より詳細には、システムにおける位相雑音除去のためのＰＴＲＳ（Ｐｈａｓｅ  Ｔｒａｃｋｉｎｇ  Ｒｅｆｅｒｅｎｃｅ  Ｓｉｇｎａｌ）のパワーブースティングレベル （Ｐｏｗｅｒ  Ｂｏｏｓｔｉｎｇ  Ｌｅｖｅｌ）の決定方法及びそのための装置を提供することができる。
【背景技術】
【０００２】
ミリメートルウェーブ（ｍｍＷａｖｅ、ミリ波）を用いた超高周波無線通信システムは、中心周波数が数ＧＨｚ乃至数十ＧＨｚで動作するように構成される。このような中心周波数の特性によって、ｍｍＷａｖｅ通信システムでは、陰影領域でパスロス（ｐａｔｈ  ｌｏｓｓ）が目立つことがある。同期信号は、基地局のカバレッジ内に位置する全ての端末に安定的に送信されなければならないため、ｍｍＷａｖｅ通信システムでは、上述した超高周波帯域の特性から生じ得る潜在的なｄｅｅｐ−ｎｕｌｌ現象を考えた上で、同期信号を設計及び送信しなければならない。
【発明の概要】
【発明が解決しようとする課題】
【０００３】
本発明は、上述した問題点を解決するためのものであって、ＰＴＲＳのパワーブースティングレベルを決定するための方法を提供することに目的がある。
【０００４】
本発明が遂げようとする別の技術的課題は、無線通信システムにおける端末の位相雑音除去手順を改善することで、受信信号の正確なデコーディングを可能にすることに目的がある。
【０００５】
本発明が遂げようとする別の技術的課題は、位相雑音除去のための信号送信の効率を改善する方法を提供することに目的がある。
【０００６】
本発明が遂げようとする別の技術的課題は、位相雑音除去のための信号送信に関する情報を提供して、受信側の動作を改善することに目的がある。
【０００７】
本発明が遂げようとする別の技術的課題は、位相雑音に対する補償及び参照信号のオーバーヘッドを考慮して、位相雑音除去のための信号を送信する方法を提供することに目的がある。
【課題を解決するための手段】
【０００８】
本発明の一実施例によれば、ｍｍＷａｖｅ通信システムにおいて、基地局が位相雑音を除去するための信号を送信する方法を提供することができる。このとき、位相雑音を除去するための信号を送信する方法は、下りリンク信号の位相雑音に対するＰＴＲＳを生成するステップ、ＰＴＲＳに対するＰＴＲＳパワーブースティングレベル情報を端末に送信するステップ、及びＰＴＲＳパワーブースティングレベル情報に基づいて、下りリンクシグナリングを介してＰＴＲＳを送信するステップを含むことができる。このとき、ＰＴＲＳパワーブースティングレベル情報は、ＰＴＲＳポート数、ＰＴＲＳポートに関わるＤＭＲＳポート数、及び前記ＰＴＲＳポートに関わるＤＭＲＳポートグループのＤＭＲＳポート数のうち少なくともいずれか１つ以上に基づいて決定されることができる。
【０００９】
本発明の一実施例によれば、ｍｍＷａｖｅ通信システムにおいて、位相雑音を除去するための信号を送信する基地局を提供することができる。このとき、外部デバイスから信号を受信する受信部、外部デバイスに信号を送信する送信部、および受信部及び送信部を制御するプロセッサを提供することができる。このとき、プロセッサは、下りリンク信号の位相雑音に対するＰＴＲＳを生成して、下りリンクシグナリングを介してＰＴＲＳに対するＰＴＲＳパワーブースティングレベル情報を端末に送信して、ＰＴＲＳパワーブースティングレベル情報に基づいて、ＰＴＲＳを送信することができる。このとき、ＰＴＲＳパワーブースティングレベル情報は、ＰＴＲＳポート数、ＰＴＲＳポートに関わるＤＭＲＳポート数、及び前記ＰＴＲＳポートに関わるＤＭＲＳポートグループのＤＭＲＳポート数のうち少なくともいずれか１つ以上に基づいて決定されることができる。
【００１０】
また、ｍｍＷａｖｅ通信システムにおいて、位相雑音を除去するための信号を送信する方法及び装置に対して、以下の事項が共通して適用できる。
【００１１】
本発明の一実施例によれば、ＰＴＲＳパワーブースティングレベル情報は、ＰＴＲＳパワーブースティングのオンオフ（ｏｎ  ｏｆｆ）状態及びＰＴＲＳパワーブースティングのレベル値のうち少なくともいずれか１つ以上を指示する情報であってもよい。
【００１２】
また、本発明の一実施例によれば、ＰＴＲＳに対するＰＴＲＳパワーブースティングレベル情報は、端末に明示的又は暗示的に送信されてもよい。
【００１３】
このとき、本発明の一実施例によれば、ＰＴＲＳパワーブースティングレベル情報は、下りリンクＤＣＩ又はＲＲＣシグナリングを介して前記端末に送信されてもよい。
【００１４】
また、本発明の一実施例によれば、ＰＴＲＳパワーブースティングレベル情報は、予め設定された規則に基づいて端末に設定されてもよい。
【００１５】
このとき、本発明の一実施例によれば、予め設定された規則は、ＰＴＲＳパワーブースティングのレベル値がレイヤー数に基づいて決定されることを意味してもよい。
【００１６】
また、本発明の一実施例によれば、予め設定された規則は、ＰＴＲＳパワーブースティングのレベル値がＰＴＲＳポート数に基づいて決定されることを意味してもよい。
【００１７】
また、本発明の一実施例によれば、予め設定された規則は、ＰＴＲＳパワーブースティングのレベル値が活性化したＰＴＲＳポート数に基づいて決定されてもよい。
【００１８】
また、本発明の一実施例によれば、ＰＴＲＳパワーブースティングのレベル値は、３ｄＢ、４．７７ｄＢ、６ｄＢ又は９ｄＢのうちいずれか１つに決定されてもよい。
【００１９】
また、本発明の一実施例によれば、レイヤー数がＬである場合、ＰＴＲＳパワーブースティングのレベル値は、次の数式に基づいて決定されてもよい。Ｐｏｗｅｒ  ｂｏｏｓｔｉｎｇ  ｌｅｖｅｌ＝１０×Ｌｏｇ２（Ｌ）＋ＺｄＢ。このとき、Ｚは、ＲＲＣ及びＤＣＩのうち少なくともいずれか１つによって指示されてもよい。
【００２０】
また、本発明の一実施例によれば、ＺはＭＣＳレベルによって暗示的に決定されてもよい。このとき、ＭＣＳレベルが閾値以下である場合、Ｚは３ｄＢと設定され、ＭＣＳレベルが閾値を超える場合、Ｚは０ｄＢと設定されてもよい。
【００２１】
また、本発明の一実施例によれば、ＤＭＲＳポート数は、レイヤー数に対応されてもよい。
【００２２】
また、本発明の一実施例によれば、ＰＴＲＳパワーブースティングのレベル値は、ＰＴＲＳとＰＤＳＣＨとの間のＥＰＲＥ比率で表現されてもよい。
【発明の効果】
【００２３】
本発明は、無線通信システムにおける端末の位相雑音除去手順を改善することで、受信信号の正確なデコーディングを可能にすることができる。
【００２４】
本発明は、位相雑音除去のための信号送信の効率を改善する方法を提供することができる。
【００２５】
本発明は、位相雑音除去のための信号送信に関する情報を提供して、受信側の動作を改善することができる。
【００２６】
本発明は、ＰＴＲＳのパワーブースティングレベルを決定するための方法を提供することができる。
【００２７】
本発明は、位相雑音に対する補償及び参照信号のオーバーヘッドを考慮して、位相雑音除去のための信号を送信する方法を提供することができる。
【００２８】
本発明の実施例から得られる効果は、以上で言及した効果に限定されず、言及していない別の効果は、以下の本発明の実施例に関する記載から、本発明の属する技術の分野における通常の知識を有する者に明確に理解されるであろう。
【図面の簡単な説明】
【００２９】
【図１】位相雑音による位相歪みを示す図である。
【図２】周波数ドメインのＰＴＲＳ密度（ｄｅｎｓｉｔｙ）に基づいてＢＬＥＲ（Ｂｌｏｃｋ  Ｅｒｒｏｒ  Ｒａｔｅ）性能（Ｐｅｒｆｏｒｍａｎｃｅ）を示す図である。
【図３】時間ドメインのＰＴＲＳ密度に基づいてＢＬＥＲ性能を示す図である。
【図４】互いにＴＲＢサイズに基づいてＰＴＲＳ密度に対するスペクトル効率（Ｓｐｅｃｔｒａｌ  Ｅｆｆｉｃｉｅｎｃｙ）を示す図である。
【図５】ＣＦＯ（Ｃａｒｒｉｅｒ  Ｆｒｅｑｕｅｎｃｙ  Ｏｆｆｓｅｔ）に基づいてＢＬＥＲ性能を示す図である。
【図６】ＰＴＲＳの時間ドメイン及び周波数ドメインのマッピング手順に基づいてＢＬＥＲ性能を示す図である。
【図７】ＰＴＲＳが割り当てられたパターンを示す図である。
【図８】ＰＴＲＳに基づいてＢＬＥＲ性能を測定した図である。
【図９】ＰＴＲＳに基づいてＢＬＥＲ性能を測定した図である。
【図１０】ＰＴＲＳに基づいてＢＬＥＲ性能を測定した図である。
【図１１】ＰＴＲＳに基づいてＢＬＥＲ性能を測定した図である。
【図１２】ＰＴＲＳを配置する方法を示す図である。
【図１３】ＭＣＳ及びＰＲＢによって互いに異なるＰＴＲＳパターンを示す図である。
【図１４】ＰＲＢサイズに基づいて周波数軸に定義されたＰＴＲＳ数及びＰＴＲＳパワーブースティングの有無によるスペクトル効率（Ｓｐｅｃｔｒａｌ  ｅｆｆｉｃｉｅｎｃｙ）を示す図である。
【図１５】互いに異なるＭＣＳレベルにおいてスペクトル効率を示す図である。
【図１６】互いに異なるＭＣＳレベルにおいてスペクトル効率を示す図である。
【図１７】直交（Ｏｒｔｈｏｇｏｎａｌ）ＰＴＲＳポートにマルチプレクシングを適用する方法を示す図である。
【図１８】ＰＴＲＳポートパターンを示す図である。
【図１９】活性化したＰＴＲＳポートに基づいてパワーブースティングを行う方法を示す図である。
【図２０】活性化したＰＴＲＳポートに基づいてパワーブースティングを行う方法を示す図である。
【図２１】通信システムにおいて基地局が位相雑音を除去するための信号を送信する方法に関するフローチャートである。
【図２２】ＰＴＲＳパワーブースティングを行うか否かを決定する方法を示す図である。
【図２３】本発明の一実施例による端末及び基地局の構成を示す図である。
【発明を実施するための形態】
【００３０】
本発明で使う用語は本発明における機能を考慮してできるだけ現在広く使われる一般的な用語を選択したが、これは当該分野の技術者の意図又は判例、新技術の出現などによって変わることもある。また、特定の場合は出願人が任意に選定した用語もあり、この場合、該当の発明の説明部で詳細にその意味を記載する。したがって、本発明で使う用語は単純な用語の名称ではなくて、その用語が有する意味と本発明の全般的な内容に基づいて定義されなければならない。
【００３１】
以下の実施例は本発明の構成要素及び特徴を所定の形態に結合したものである。それぞれの構成要素又は特徴は別途の明示的言及がない限り選択的なものと見なすことができる。それぞれの構成要素又は特徴は他の構成要素又は特徴と結合しなかった形態に実施可能である。また、一部の構成要素及び／又は特徴を結合して本発明の実施例を構成することもできる。本発明の実施例で説明する動作の順序は変更可能である。一実施例の一部の構成又は特徴は他の実施例に含まれることができ、あるいは他の実施例の対応する構成又は特徴に取り替えられることができる。
【００３２】
図面の説明において、本発明の要旨を曖昧にするような過程又は段階などは記述せず、当業者の水準で理解可能な程度の過程又は段階も記述しなかった。
【００３３】
明細書全体を通じて、ある部分がある構成要素を「含む（ｃｏｍｐｒｉｓｉｎｇ又はｉｎｃｌｕｄｉｎｇ）」というとき、これは、別に反対の記載がない限り、他の構成要素を除外するものではなく、他の構成要素をさらに含み得ることを意味する。また、明細書でいう「…部」、「…機」、「モジュール」などの用語は、少なくとも１つの機能や動作を処理する単位を意味し、これは、ハードウェア、ソフトウェア、又はハードウェア及びソフトウェアの結合によって実装することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００３４】
本明細書において本発明の実施例は基地局と移動局との間のデータ送受信関係を中心に説明される。ここで、基地局は、移動局と通信を直接行うネットワークの終端ノード（ｔｅｒｍｉｎａｌ  ｎｏｄｅ）としての意味を有する。本文書において基地局によって行われるとされている特定動作は、場合によっては、基地局の上位ノード（ｕｐｐｅｒ  ｎｏｄｅ）によって行われてもよい。
【００３５】
すなわち、基地局を含む複数のネットワークノード（ｎｅｔｗｏｒｋ  ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（Ａｄｖａｎｃｅｄ  Ｂａｓｅ  Ｓｔａｔｉｏｎ， ＡＢＳ）、又はアクセスポイント（ａｃｃｅｓｓ  ｐｏｉｎｔ）などの用語に言い換えることができる。
【００３６】
また、「移動局（Ｍｏｂｉｌｅ  Ｓｔａｔｉｏｎ，ＭＳ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展した移動端末（Ａｄｖａｎｃｅｄ  Ｍｏｂｉｌｅ  Ｓｔａｔｉｏｎ，ＡＭＳ）、端末（Ｔｅｒｍｉｎａｌ）又はステーション（ＳＴＡｔｉｏｎ，ＳＴＡ）などの用語に言い換えることができる。
【００３７】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００３８】
また、デバイスが「セル」と通信を行うとは、デバイスが当該セルの基地局と信号を送受信することを意味することができる。すなわち、デバイスが信号を送信して受信する実質的な対象は特定の基地局であってもよいが、記載の便宜のために、特定の基地局によって形成されるセルと信号を送受信すると記載されてもよい。同様に、「マクロセル」及び／又は「スモールセル」という記載はそれぞれ、特定のカバレッジ（ｃｏｖｅｒａｇｅ）を意味してもよく、また「マクロセルを支援するマクロ基地局」及び／又は「スモールセルを支援するスモールセル基地局」を意味してもよい。
【００３９】
本発明の実施例は、無線接続システムであるＩＥＥＥ  ８０２．ｘｘシステム、３ＧＰＰシステム、３ＧＰＰ  ＬＴＥシステム及び３ＧＰＰ２システムのうち少なくとも１つに開示されている標準文書によって裏付けられることができる。すなわち、本発明の実施例のうち、説明していない自明な段階又は部分は、上記文書を参照して説明することができる。
【００４０】
また、本文書で開示する全ての用語は上記標準文書によって説明することができる。特に、本発明の実施例は、ＩＥＥＥ  ８０２．１６システムの標準文書であるＰ８０２．１６ｅ−２００４、Ｐ８０２．１６ｅ−２００５、Ｐ８０２．１６．１、Ｐ８０２．１６ｐ及びＰ８０２．１６．１ｂ標準文書のうち一つ以上によって裏付けられることができる。
【００４１】
以下、本発明による好適な実施例を添付図面に基づいて詳細に説明する。添付図面と一緒に以下に開示する詳細な説明は本発明の例示的実施形態を説明するためのものであり、本発明を実施することができる唯一の実施形態を示そうとするものではない。
【００４２】
また、本発明の実施例で使う特定用語は本発明の理解を助けるために提供するもので、このような特定用語の使用は本発明の技術的思想を逸脱しない範囲内で他の形態に変更可能である。
【００４３】
１．位相雑音（Ｐｈａｓｅ  Ｎｏｉｓｅ）分析及び位相追跡参照信号（Ｐｈａｓｅ  Ｔｒａｃｋｉｎｇ  Ｒｅｆｅｒｅｎｃｅ  Ｓｉｇｎａｌ，ＰＴＲＳ）デザイン
【００４４】
図１は、位相雑音による位相歪みを示す図である。位相雑音は、信号の位相に対して短期間で発生する波動（ｆｌｕｃｔｕａｔｉｏｎ）であり得る。このとき、位相雑音は、受信される信号の時間ドメインで位相をランダムに変化させることができるため、信号受信を妨げることがある。一例として、図１（ａ）を参照すると、位相雑音はランダムに発生する。但し、位相雑音は隣接した時間サンプルに対するＣＰＥ（Ｃｏｍｍｏｎ  Ｐｈａｓｅ  Ｅｒｒｏｒ）と周波数ドメインのＩＣＩ（Ｉｎｔｅｒ  Ｃａｒｒｉｅｒ  Ｉｎｔｅｒｆｅｒｅｎｃｅ）との所定の相関関係（Ｃｏｒｒｅｌａｔｉｏｎ）を有することができる。
【００４５】
このとき、図１（ｂ）は、受信されるコンステレーションポイント（ｃｏｎｓｔｅｌｌａｔｉｏｎ  ｐｏｉｎｔ）でＣＰＥ及びＩＣＩに対する効果を示す。このとき、図１（ｂ）の四角形「Ａ」において全てのコンステレーションポイントはＣＰＥに基づいて３度回転した状態であり得る。また、円形「Ｂ」にはＩＣＩに基づいてコンステレーションポイントがランダムに分布されることができる。すなわち、位相雑音に基づいてＣＰＥに対する補償が必要となり得て、そのために、ＣＰＥ推定のためのＰＴＲＳ（Ｐｈａｓｅ  Ｔｒａｃｋｉｎｇ  Ｒｅｆｅｒｅｎｃｅ  Ｓｉｇｎａｌ）を用いることができる。以下の表１は、位相雑音のためのシミュレーション条件値を示す。
【００４６】
【表１】
2019535208.tif 000003
【００４７】
表１を参照すると、Ｔｒａｆｆｉｃ  ＲＢ数を変更することでＰＴＲＳがＣＰＥ推定に及ぼす影響を確認することができる。
【００４８】
このとき、図２は、周波数ドメインのＰＴＲＳ密度（ｄｅｎｓｉｔｙ）に基づいてＢＬＥＲ（Ｂｌｏｃｋ  Ｅｒｒｏｒ  Ｒａｔｅ）性能（Ｐｅｒｆｏｒｍａｎｃｅ）を示す図である。より詳細には、図２（ａ）及び図２（ｂ）は、ＯＦＤＭシンボルの周波数ドメインにおいてＰＴＲＳ密度を０、１、４、８、１６に変化させながらＢＬＥＲ性能を推定した図である。このとき、「ＰＴＲＳ＝０」はＣＰＥ補償のない状態であり、「Ｉｄｅａｌ」はＣＥＰ補償が行われた状態である。図２（ａ）は４ＴＲＢであるとき、周波数ドメインにおいてＰＴＲＳ密度を変化させながらＢＬＥＲ性能を測定した図であり、図２（ｂ）は６４ＴＲＢであるとき、周波数ドメインにおいてＰＴＲＳ密度を変化させながらＢＬＥＲ性能を測定した図である。
【００４９】
図２（ａ）と図２（ｂ）を比較すると、ＰＴＲＳ密度によるＢＬＥＲ性能は、ＴＢＲサイズが大きくなるほど差も大きくなることが分かる。具体的に、ＴＲＢサイズが小さい図２（ａ）では、ＣＰＥ補償のないＢＬＥＲ性能が、ＰＴＲＳ＝８に基づいてＣＰＥ補正を行ったＢＬＥＲ性能と１ｄＢだけ差があることから、差が小さいことが分かる。一方、ＴＲＢサイズが大きい図２（ｂ）では、ＣＰＥ補償のないＢＬＥＲ性能が、ＰＴＲＳ＝８に基づいてＣＰＥ補償を行ったＢＬＥＲ性能とは５．８ｄＢと差が大きいことが分かる。
【００５０】
また、図２（ｂ）を参照すると、ＰＴＲＳ密度が増加するほどＣＰＥ補償に基づいてＢＬＥＲ性能が理想的に収束することが分かる。より具体的に、図２（ｂ）では、ＰＴＲＳが４以上である場合、ＢＬＥＲ性能が理想的な状態で収束できるため、ＰＴＲＳ密度が４又は８であるとき、十分なＣＰＥ補償が行われることができる。このとき、一例として、図２（ａ）及び図２（ｂ）はいずれもＰＴＲＳ密度が４又は８である場合に十分なＣＰＥ補償が行われるため、ＴＲＢサイズとは関係なく、ＰＴＲＳ密度が４又は８であれば十分なＣＰＥ補償が行われることができる。
【００５１】
別の一例として、図３は、時間ドメインのＰＴＲＳ密度に基づいてＢＬＥＲ性能を示す図である。
【００５２】
図３は、時間ドメインにおいてＰＴＲＳインターバル（Ｉｎｔｅｒｖａｌ）を変更してＢＬＥＲ性能を測定した結果であり、図３において、１つのＯＦＤＭにおけるＰＴＲＳ数は４である。図３を参照すると、図２と同様な結果となることが分かる。より具体的には、ＴＲＢサイズが大きくなるほど時間ドメインにおいてＰＴＲＳ密度による差が大きくなることが分かる。すなわち、ＴＲＢサイズが小さい場合（図３における４ＴＲＢｓ）には、時間ドメインでＰＴＲＳ密度から大きい影響が与えられず、類似するＢＬＥＲ性能を示すことができる。一方、ＴＲＢサイズが大きい場合（図３における６４ＴＲＢｓ）には、時間ドメインでＰＴＲＳ密度によってＢＬＥＲ性能が大きく変化することが分かる。すなわち、ＰＴＲＳ密度によるＢＬＥＲ性能の差はＴＲＢサイズが大きくなるにつれて敏感に変化することができる。
【００５３】
図４は、互いにＴＲＢサイズに基づいてＰＴＲＳ密度に対するスペクトル効率（Ｓｐｅｃｔｒａｌ  Ｅｆｆｉｃｉｅｎｃｙ）を示す図である。
【００５４】
図４（ａ）は、ＴＲＢサイズが４である場合にＰＴＲＳ数によるスペクトル効率を示す図である。このとき、図４（ａ）を参照すると、ＴＲＢサイズが４である場合、ＣＰＥ補償を行っていない方が、所定数のＰＴＲＳに基づいてＣＰＥ補償を行った場合よりもさらに効率的なスペクトル効率を有することが分かる。このとき、ＴＲＢサイズが４である場合には、コードワードにおいて１つのコードブロックのみが定義されて用いられることができ、コードブロックがサブフレームでスプレッドするため、位相雑音への影響を減らすことができる。これは、上述した図２（ａ）と同様に、ＴＲＢサイズが小さい場合にはＣＰＥ補償に大きく影響しないことと類似している。一方、ＰＴＲＳ数が増加する場合には、情報サイズが増加するため、ＰＴＲＳ割り当て部分に基づいてスループット（ｔｈｒｏｕｇｈｐｕｔ）に損失が発生し得る。このとき、小さいＴＲＢサイズでは、スループット損失がＣＰＥ補償より大きくなり得るため、ＰＴＲＳが不要になることがある。
【００５５】
一方、図４（ｂ）を参照すると、ＴＲＢサイズが６４である場合には、ＰＴＲＳ数が増加するほど理想的なスペクトル効率を有することが分かる。これは、ＴＲＢサイズが大きい場合には、１つのコードワードに複数のコードブロックを定義することができ、各々のコードブロックが１つ又は２つのＯＦＤＭシンボルにスプレッドするため、位相雑音への影響が大きいからである。すなわち、特定のＯＦＤＭシンボルで高い位相雑音が発生した場合、特定のＯＦＤＭシンボルに位置するコードブロックに対するデコーディング失敗率が高くなる可能性がある。これは、図２（ｂ）と同様である。すなわち、ＴＲＢサイズが大きくなると、位相雑音への影響が大きくなり、ＰＴＲＳに対するオーバーヘッドが相対的に小さくなるため、ＰＴＲＳ数が増加するほどスループットが良好になる。
【００５６】
図４（ｃ）は、時間ドメインに基づいてＰＴＲＳ密度変化の影響を示す図であって、図３と同様である。すなわち、ＴＲＢサイズが小さいと、ＰＴＲＳ時間密度がスループットに大きく影響を及ぼすことができないが、ＴＲＢサイズが大きくなると、ＰＴＲＳ時間密度によってスループットが大きく変更することができ、これは上述した通りである。
【００５７】
図５は、ＣＦＯ（Ｃａｒｒｉｅｒ  Ｆｒｅｑｕｅｎｃｙ  Ｏｆｆｓｅｔ）に基づいてＢＬＥＲ性能を示す図である。
【００５８】
上述のように、ＴＲＢサイズが小さいと、ＰＴＲＳが不要となる可能性がある。但し、ＴＲＢサイズが小さくても、オシレータ誤差及びドップラーによるＣＦＯのためにＰＴＲＳが必要となる可能性がある。このとき、図５を参照すると、ＴＲＢサイズが４と小さい場合でも、ＣＦＯ＝１．４ｋＨｚである場合には、ＢＬＥＲ性能が低下することが分かる。このとき、基地局と端末間のＣＦＯは±０．１ｐｐｍであり、３０ＧＨｚでは、ＣＦＯの最大値が３ｋＨｚである。すなわち、高周波を用いる場合には、ＣＦＯがＢＬＥＲ性能に大きく影響を及ぼすことができる。よって、トレードオフ（ｔｒａｄｅ−ｏｆｆ）関係であるＣＰＥ補償及びＰＴＲＳオーバーヘッドを考慮して、ＰＴＲＳ数を決定する必要があり、これについては後述する。
【００５９】
図６は、ＰＴＲＳの時間ドメイン及び周波数ドメインのマッピング手順に基づいてＢＬＥＲ性能を示す図である。
【００６０】
図６は、ＰＴＲＳを、先に時間ドメインでマッピングした場合と、先に周波数ドメインでマッピングした場合とを示す図である。図６を参照すると、先に時間ドメインでＰＴＲＳをマッピングした方が、ＰＴＲＳを先に周波数ドメインでマッピングした場合よりも良好なＢＬＥＲ性能となることが分かる。これは、上述したＩＣＩによるものであって、時間ドメインでコードブロックがスプレッドする場合には位相雑音への影響が減少するため、図６のようなグラフとなる。これは、時間ドメインでコードブロックスプレッドが位相雑音の減少に有効であることを示し、これについても後述する。
【００６１】
２．ＭＣＳレベルを考慮したＰＴＲＳデザイン
【００６２】
上述のように、位相雑音への影響を考慮してＰＴＲＳを使用する必要がある。上述のように、参照信号のオーバーヘッドを考慮してＰＴＲＳを割り当てる必要がある。
【００６３】
図７は、ＰＴＲＳが割り当てられたパターンを示す図である。図７を参照すると、パターン１は時間周期が１であり、パターン２は時間周期が２であり、パターン３は時間周期が３である。すなわち、パターン１は時間ドメインで最高の密度でＰＴＲＳを割り当てたパターンであり、パターン３は時間ドメインで最低の密度でＰＴＲＳを割り当てたパターンである。図７を参照すると、以下の表２は、各々のＰＴＲＳパターンが性能劣化に及ぼす影響を確認するためのシミュレーションセットアップの構成である。一例として、以下の表２では、ＣＦＯは−３ｋＨｚ〜３ｋＨｚからランダムに選択することができる。また、モジュレーション及びコードレート（Ｍｏｄｕｌａｔｉｏｎ  ＆  Ｃｏｄｅ  Ｒａｔｅ）はＱＰＳＫ（１／２）、１６ＱＡＭ（３／４）及び６４ＱＡＭ（５／６）と設定されることができる。
【００６４】
【表２】
2019535208.tif 000004
【００６５】
図８〜図１１は、上述した表２に基づいて、ＢＬＥＲ性能を測定した図であり、これからＰＴＲＳの影響を確認することができる。
【００６６】
一例として、図８（ａ）は、位相雑音のない状態で周波数オフセット（ｆｒｅｑｕｅｎｃｙ  ｏｆｆｓｅｔ）がＢＬＥＲ性能に及ぼす影響を示す。図８（ａ）を参照すると、ＣＦＯ補償がない場合には、低いＭＣＳレベルであるＱＰＳＫ（１／２）にもかかわらず、ＢＬＥＲの性能が低下することが分かる。一方、ＣＦＯ補償がある場合には、ＢＬＥＲの性能が維持できる。すなわち、ＭＣＳレベルが低くてもＣＦＯ補償はＢＬＥＲ性能に影響を及ぼすことができる。
【００６７】
また、一例として、図８（ｂ）は、周波数オフセットのない状況で位相雑音がＢＬＥＲ性能に及ぼす影響を示す図である。このとき、高いＭＣＳレベルである６４ＱＡＭ（５／６）でＣＰＥ補償によってＢＬＥＲ性能が良好になることが分かる。但し、ＭＣＳレベルが低い１６ＱＡＭ（３／４）ではＣＰＥ補償の有無には関係ばく、同様なＢＬＥＲ性能であることが分かる。すなわち、位相雑音がＢＬＥＲ性能に及ぼす影響は、高いレベルのＭＣＳでさらに大きい。
【００６８】
また、図９は、周波数オフセット及び位相雑音がいずれも存在する場合、ＢＬＥＲ性能に影響を与える要素を示す図である。このとき、互いに異なるＰＴＲＳパターンによって、ＢＬＥＲ性能が大きく変化することが分かる。すなわち、周波数オフセット及び位相雑音がいずれも存在する場合には、ＰＴＲＳのパターンによって、ＢＬＥＲ性能が劣化するか否かが決定されることができる。
【００６９】
また、図１０は、ＭＣＳに基づいてスペクトル効率を示す図である。図１０（ａ）及び図１０（ｂ）を参照すると、ＱＰＳＫ（１／２）及び１６ＱＡＭ（３／４）では、上述の図７において、パターン１、２及び３のいずれもＰＲＢサイズとは関係なく高いスペクトル効率を有することが分かる。すなわち、上述のように、低いＭＣＳレベルでは位相雑音への影響が無視できるため、高いスペクトル効率を有することができる。一例として、図１０（ａ）では、ＰＲＢサイズが小さいため、参照信号のオーバーヘッドを考慮すれば、むしろパターン３で高いスペクトル効率を有することができ、これは上述した通りである。
【００７０】
また、図１１は、ＭＣＳに基づいてスペクトル効率を示す図である。図１１（ａ）を参照すると、４ＰＲＢでは、上述した図７において、パターン１、２及び３のいずれもＰＲＢサイズとは関係なく高いスペクトル効率を有することが分かる。すなわち、上述のように、低いＭＣＳレベルでは、位相雑音への影響が無視できるため、高いスペクトル効率を有することができる。このとき、一例として、図１１（ａ）では、ＰＲＢサイズが小さいため、参照信号のオーバーヘッドを考慮すれば、むしろパターン３で高いスペクトル効率を有することができ、これは上述した通りである。
【００７１】
一方、図１１（ｂ）を参照すると、６４ＱＡＭ（５／６）及び３２ＰＲＢでは、図７のパターン１及び２において高いスペクトル効率を有することが分かる。これは、３２ＰＲＢでは１つのコードワードに複数のコードブロックが定義されており、各々のコードブロックが１つ又は２つのＯＦＤＭシンボルにスプレッドしているため、位相雑音への影響が大きいからである。すなわち、高いレベルのＭＣＳ及び大きいＰＲＢサイズによって送信が行われる場合には、位相雑音への影響がさらに大きい可能性があり、これは上述した通りである。
【００７２】
一例として、各々の端末が上りリンク送信を行う際にＰＴＲＳを用いることができる。但し、ＵＬ  ＭＵ−ＭＩＭＯであって複数の端末が存在する場合、端末の数が増加すると、参照信号のオーバーヘッドが増加する可能性がある。よって、低いＭＣＳレベル及び小さいＰＲＢサイズでは、参照信号のオーバーヘッドを考慮して、ＰＴＲＳを使用するか否かを決定する必要がある。
【００７３】
別の一例として、下りリンク送信では、繰り返して送信される信号（ｅｘ、ＰＳＳ、ＳＳＳ）やチャネル（ｅｘ、ＰＢＣＨ）が設計されているため、データ受信前にＣＦＯに対する推定を行うことができる。よって、高いＭＣＳレベル及び大きいＰＲＢサイズを考慮して、ＰＴＲＳに対するパターンをデータの受信前に設定して用いることができるが、この実施例に限定されない。
【００７４】
さらに、位相雑音及び周波数オフセットを考慮して用いられる、上述した参照信号に対しては、以下の表３に含まれた構成を適用して設計することができるが、この実施例に限定されない。
【００７５】
【表３】
2019535208.tif 000005
【００７６】
提案１（ＰＴＲＳ周波数軸数の固定）
【００７７】
上述した図面を参照すると、ＰＴＲＳ周波数軸数が４又は８である場合、ＢＬＥＲ性能に対する曲線は理想的なケース（ｉｄｅａ  ｃａｓｅ）曲線に近づくことが分かる。すなわち、ＰＴＲＳの周波数軸数がＴＲＢ数（又は、サイズ）には関係なく決定されることができる。よって、ＰＴＲＳの周波数軸数をＴＲＢ数には関係なく、特定の値に固定して使用することができる。
【００７８】
より詳細には、ＰＴＲＳの周波数軸数をＮと定義する場合、Ｎは次の方法に基づいて決定することができる。
【００７９】
１．ＴＲＢ数には関係なく、４又は８と決定（Ｎは明細書（ｓｐｅｃ）に規則（ｒｕｌｅ）として定義されてもよい）
【００８０】
２．ＲＲＣ及び／又はＤＣＩを介してＮの数を知らせることができる。
【００８１】
すなわち、ＰＴＲＳの周波数軸数は、予め定義された特定の値であって、４又は８と決定して使用することができる。別の一例として、ＲＲＣやＤＣＩを介してＰＴＲＳ周波数軸数を予め知らせることができる。このとき、参照信号としてＰＴＲＳのオーバーヘッドを考慮して、上述の方法を用いることができる。
【００８２】
また、図１２は、ＰＴＲＳを配置する方法を示す図である。一例として、図１３において、ＰＴＲＳの周波数軸数は４である。このとき、ＰＴＲＳは分散（Ｄｉｓｔｒｉｂｕｔｅｄ）又は局部化（Ｌｏｃａｌｉｚｅｄ）によって配置されてもよい。一例として、分散は、与えられたＴＲＢでＰＴＲＳ同士の周波数間隔を一定（Ｕｎｉｆｏｒｍ）に設計することができる。また、局部化は、与えられたＴＲＢの中心（Ｃｅｎｔｅｒ）又は特定の位置にＰＴＲＳを隣接して配置することを意味してもよい。
【００８３】
一例として、上述した配置は、基地局が端末にＲＲＣ及び／又はＤＣＩでシグナリングすることができる。また、一例として、予め定義された配置方法として１つの形態が定義されてもよい（明細書に規則として１つの形態が定義されてもよい）。また、上りリンク送信の場合でも、制御情報に含まれてシグナリングされるか、予め定義された配置方法が用いられてもよいが、この実施例に限定されない。
【００８４】
別の一例として、ＴＲＢ数（又は、サイズ）を考慮して、ＰＴＲＳの周波数軸数を変更して設定することができる。これは、ＣＦＯによって発生したＩＣＩがＣＦＯ及びＣＰＥ推定性能を減少させることがあるからである。このとき、上述した図面のように、ＴＲＢ数が増加するほど推定性能が減少し、ＢＬＥＲ性能が大きく減少する可能性がある。ただし、ＴＲＢ数が増加すれば参照信号に対するオーバーヘッドが減少するため、周波数軸にさらに多いＰＴＲＳを割り当てて推定性能を向上させることができる。すなわち、ＢＬＥＲ性能減少及びＰＴＲＳの参照信号オーバーヘッドを考慮して、ＰＴＲＳの周波数軸数をＴＲＢ数に基づいて決定することができる。一例として、ＰＴＲＳの数は、以下の表４のように定義されてもよい。表４によれば、ＴＲＢ数（又は、サイズ）がＮより小さいか同一の場合には、周波数軸のＰＴＲＳ数をＭ１値に設定することができる。一方、ＴＲＢ数がＮより大きい場合には、周波数側のＰＴＲＳをＭ２値に設定することができる。このとき、一例として、基準となるＴＲＢ数は８であってもよい。また、一例として、Ｍ１は４であり、Ｍ２は８であるが、この実施例に限定されず、特定値に定められてもよい。
【００８５】
また、一例として、上述したＮ、Ｍ１、Ｍ２は、ＲＲＣ及び／又はＤＣＩを介して設定されてもよい。また、一例として、上述したＮ、Ｍ１、Ｍ２は、予め設定された値に設定されて用いられてもよい（ 明細書に規則として定義されてもよい）。
【００８６】
【表４】
2019535208.tif 000006
【００８７】
提案２（ＰＴＲＳ時間軸間隔をＴＲＢサイズによって変動）
【００８８】
ＰＴＲＳの時間軸インターバルによってスペクトル効率が変動されることができ、これは上述した通りである。
【００８９】
より詳細には、上述した図３では、ＴＲＢサイズが４であるとき、インターバルが２の場合がインターバルが１である場合よりもスペクトル効率が良いことが分かる。一方、ＴＲＢサイズが６４であるとき、インターバルが１である場合がインターバルが２である場合よりもスペクトル効率が良いことが分かる。すなわち、上述のように、ＴＲＢサイズが小さい場合には、参照信号のオーバーヘッドによるスループット損失がＣＰＥ補償利得より大きくなり得るため、参照信号のオーバーヘッドの影響が大きい可能性がある。一方、ＴＲＢサイズが大きい場合には、参照信号のオーバーヘッドは減少することができ、これに対してＣＰＥ補償利得が大きくなり得るため、スペクトル効率が良くなる可能性がある。
【００９０】
このとき、一例として、ＰＴＲＳの時間軸間隔は、以下の表５のように定義することができる。より詳細には、ＴＲＢサイズがＮより小さいか同一の場合には、ＰＴＲＳ時間間隔をＭ１と定義することができる。一方、ＴＲＢサイズがＮより大きい場合には、ＰＴＲＳ時間間隔をＭ２と定義することができる。このとき、Ｍ１はＭ２より大きい値であってもよい。一例として、Ｍ１は２であり、Ｍ２は１である。また、一例として、上述のＮは８である。
【００９１】
すなわち、ＴＲＢサイズが小さい場合、ＰＴＲＳのオーバーヘッドを考慮して、ＰＴＲＳの時間間隔をより長くすることができる。一方、ＴＲＢサイズが大きい場合には、ＣＰＥ補償を考慮して、ＰＴＲＳ時間間隔をより短くすることができる。
【００９２】
また、一例として、上述したＮ、Ｍ１、Ｍ２は、ＲＲＣ及び／又はＤＣＩを介して設定されてもよい。また、一例として、上述したＮ、Ｍ１、Ｍ２は、予め設定された値に設定されて用いられてもよい（明細書に規則として定義されてもよい）。
【００９３】
【表５】
2019535208.tif 000007
【００９４】
別の一例として、ＰＴＲＳの時間軸間隔は、さらにＣＲ（Ｃｏｄｅ  Ｒａｔｅ）及びＭＯ（Ｍｏｄｕｌａｔｉｏｎ  Ｏｒｄｅｒ）を考慮して決定することができる。すなわち、ＰＴＲＳの時間軸間隔は、ＴＲＢサイズ、ＣＲ（Ｃｏｄｅ  Ｒａｔｅ）及びＭＯ（Ｍｏｄｕｌａｔｉｏｎ  Ｏｒｄｅｒ）によって決定することができる。
【００９５】
このとき、上述した図４（ｃ）において、ＭＯ＝６４ＱＡＭ、ｃｏｄｅ  ｒａｔｅ＝５／６であってもよい。一例として、ＭＯ及び／又はＣＲが大きくなる場合、ＰＴＲＳ時間間隔は２から１に縮小される。ＭＯ及びＣＲを考慮して、上述した表５を表６のように修正することができる。
【００９６】
また、一例として、以下の表６において、「Ｉｆ  ＣＲ  <＝  Ｍ（ｅ.ｇ.  ５／６）」は、ＭＯを基準として設定されてもよいが、この実施例に限定されない。すなわち、ＰＴＲＳ時間間隔は、ＭＯ及び／又はＣＲが大きくなる場合には、ＴＲＢサイズが小さくても間隔が短く設定されることができ、この実施例に限定されない。
【００９７】
【表６】
2019535208.tif 000008
【００９８】
別の一例として、ＰＴＲＳはＣＦＯ推定に用いられることができる。このとき、基地局はＰＴＲＳ時間間隔を決定して、端末にシグナリングすることができる。また、一例として、ＣＦＰ推定のみを行う場合、送信機及び受信機にＰＴＲＳ時間間隔は予め約束（又は、予め設定）されており、必要に応じて、オン／オフ（ｏｎ／ｏｆｆ）のみをＤＣＩを介してシグナリングすることができる。
【００９９】
ＰＴＲＳの時間間隔配置に関する具体的な実施例であって、図１３は、ＭＣＳ及びＰＲＢによって互いに異なるＰＴＲＳパターンを示す図である。
【０１００】
より詳細には、図１３は、互いに異なるＭＣＳ及びＰＲＢによってＰＴＲＳパターンを定義した場合であって、パターン１−３は、以下の１−３条件に対応することができる。一方、以下のマッピング方式は、ＲＲＣ、ＤＣＩ及び／又は規則（ｒｕｌｅ）によって端末に設定されてもよい。
【０１０１】
このとき、以下の条件に関連して、パターン１のインターバルが最短であり、パターン３のインターバルが最長であってもよい。すなわち、ＭＣＳレベルが高く、ＰＲＢサイズが大きい場合であれば、ＰＴＲＳの時間間隔を短くすることができる。一方、ＭＣＳレベルが高くても、ＰＲＢサイズが小さい場合であれば、ＰＴＲＳの時間間隔をさらに長くすることができる。また、ＭＣＳレベルも低く、ＰＲＢサイズが小さい場合であれば、ＰＴＲＳの時間間隔を最も長くなるように設定することができる。すなわち、ＰＴＲＳの時間間隔は、ＰＲＢサイズ及びＭＣＳレベル情報が大きくなるにつれて時間間隔が減少することができ、これは上述した通りである。これによって、ＴＲＢパターンをＭＣＳレベル及びＰＲＢサイズによって異ならせて設定してもよく、ＰＴＲＳのオーバーヘッドを考慮して、各々のパターンが定義されてもよい。
【０１０２】
１．Ｈｉｇｈ  ＭＣＳ（ｅ．ｇ．＃２６）＋ｌａｒｇｅ  ＰＲＢ（ｅ．ｇ．３２ＰＲＢｓ）：Ｐａｔｔｅｒｎ  １
【０１０３】
２．Ｈｉｇｈ  ＭＣＳ（ｅ．ｇ．＃２６）＋ｍｉｄｄｌｅ  ＰＲＢ（ｅ．ｇ．８ＰＲＢｓ）：Ｐａｔｔｅｒｎ  ２
【０１０４】
提案３（ＴＲＢサイズによるＰＴＲＳのマッピング方法）
【０１０５】
ＴＲＢサイズによってＰＴＲＳのマッピング方法が決定されてもよい。すなわち、時間優先マッピング方法及び周波数優先マッピング方法のいずれか一方がＴＲＢサイズによって決定されてもよい。一例として、図５を参照すると、データを時間優先マッピング（ｔｉｍｅ  ｆｉｒｓｔ  ｍａｐｐｉｎｇ）方法によってマッピングする場合、周波数優先マッピング（ｆｒｅｑｕｅｎｃｙ  ｆｉｒｓｔ  ｍａｐｐｉｎｇ）に比べて位相雑音に強い。すなわち、位相雑音への影響が少ない。
【０１０６】
また、一例として、上述のように、ＴＲＢが小さい場合には、コードワードに１つのコードブロックのみが定義されるため、結果として、周波数優先マッピング（ｆｒｅｑｕｅｎｃｙ  ｆｉｒｓｔ  ｍａｐｐｉｎｇ）しても、時間優先マッピング（ｔｉｍｅ  ｆｉｒｓｔ  ｍａｐｐｉｎｇ）と同様な効果を得ることができる。
【０１０７】
一方、ＴＲＢサイズが大きい場合、時間優先マッピング（ｔｉｍｅ  ｆｉｒｓｔ  ｍａｐｐｉｎｇ）又は時間軸にコードスプレッドする方式は、大きい性能利得を得ることができる。よって、ＴＲＢサイズが大きくなる場合には、ＰＴＲＳマッピング方法を考慮する必要があり、以下の表７のようである。
【０１０８】
すなわち、ＴＲＢサイズがＮより小さいか同一の場合には、データを周波数優先マッピング方法によってマッピングすることができる。一方、ＴＲＢサイズがＮより大きい場合には、データを時間優先マッピング方法、時間ドメインコードスプレッド方法、又は上述したＩｎｔｅｒ−ＣＢ  ｉｎｔｅｒｌｅａｖｉｎｇに基づいてマッピングすることができるが、この実施例に限定されない。
【０１０９】
また、一例として、Ｎは８であってもよい。このとき、Ｎは他の値であってもよく、予め設定された値で定義されてもよい（明細書に規則として定義されてもよい）。また、一例として、ＮはＤＣＩ及び／又はＲＲＣによって決定されてもよいが、この実施例に限定されない。
【０１１０】
一方、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ）のように、デコーディング遅延（ｄｅｃｏｄｉｎｇ  ｌａｔｅｎｃｙ）にとても敏感なサービスは、上述したＮとは関係なく、常に周波数優先マッピング方式によってマッピングを行うことができる。
【０１１１】
また、ＣＲ又はＭＯが低くなる場合、周波数優先マッピング方式による性能劣化が減少することができる。よって、一例として、上述したＮは、ＴＲＢサイズ、ＣＲ及び／又はＭＯを考慮して決定することができ、この実施例に限定されない。
【０１１２】
【表７】
2019535208.tif 000009
【０１１３】
提案４（ＰＴＲＳ送信を行うか否かの決定方法）
【０１１４】
ＰＴＲＳの送信を行うか否かは、ＴＲＢサイズ、基地局能力（Ｃａｐａｂｉｌｉｔｙ）及び／又は端末能力（ｃａｐａｂｉｌｉｔｙ）によって決定することができる。
【０１１５】
このとき、一例として、図４（ａ）では、ＰＴＲＳが送信されない方が送信されるよりもスペクトル効率が高いことが分かる。
【０１１６】
一方、図５では、ＣＦＯ＝１．４ｋＨｚである場合、ＰＴＲＳを送信しないと、通信そのものが失敗する可能性がある。このとき、ＣＦＯは端末及び基地局の能力によるもので、オシレータ（ｏｓｃｉｌｌａｔｏｒ）によって異なることがある。すなわち、端末及び基地局の能力が非常に優れていてＣＦＯが非常に小さく発生する場合、ＴＲＢサイズが小さいときには、ＰＴＲＳを送信しない方が高いスペクトル効率を得ることができる。
【０１１７】
すなわち、ＴＲＢサイズのみならず、端末の能力及び基地局の能力もＰＴＲＳ送信有無に対する決定要素であり得る。そのために、端末は自身のＣＦＯに関する情報（ｅ．ｇ.  ｏｓｃｉｌｌａｔｏｒ、ｍｏｖｅｍｅｎｔ  ｏｒ  ｓｐｅｅｄ）を基地局に送信することができる。このとき、基地局は端末から受信した情報及び自身の能力情報を用いてＰＴＲＳ送信有無（又は、送信可否）を決定することができるが、この実施例に限定されない。
【０１１８】
以上、ＰＴＲＳの周波数及び時間軸への密度について説明したが、以下では、ＰＴＲＳの配置方法について説明する。
【０１１９】
提案５−１（ＰＴＲＳパワーブースティングレベルの決定方法）
【０１２０】
ＰＴＲＳのパワーブースティングレベル（Ｐｏｗｅｒ  Ｂｏｏｓｔｉｎｇ  Ｌｅｖｅｌ）は、ＭＣＳレベル及び／又はＰＲＢサイズ（又は、ＴＲＢサイズ）によって決定することができる。このとき、ＰＴＲＳパワーブースティングレベルは、ＲＲＣ、ＤＣＩ及び／又は規則（Ｒｕｌｅ）として端末に設定（ｃｏｎｆｉｇｕｒｅ）することができる。
【０１２１】
より詳細には、図１４〜図１６は、ＰＲＢサイズが４である場合、周波数軸に定義されたＰＴＲＳ数及びＰＴＲＳパワーブースティングを行うか否かによるスペクトル効率を示す。このとき、ＰＴＲＳパワーブースティングに対しては、オン／オフ（ｏｎ／ｏｆｆ）状態で定義されてもよい。
【０１２２】
一例として、図１４は、ＰＴＲＳパワーブースティングがオン／オフの状態でＰＴＲＳが２及び４である場合のスペクトル効率を示す図である。ＰＴＲＳパワーブースティングがオフの状態でＰＴＲＳが２である場合、ＰＴＲＳが４である場合に比べて、低いＳＮＲで性能が低下することが分かる。このとき、低いＳＮＲでは雑音への影響が大きい可能性がある。すなわち、低いＳＮＲでは雑音への影響が大きいことから、ＣＰＥ及びＣＦＯの測定が十分にできない可能性があるため、ＰＴＲＳが２である場合はＰＴＲＳが４である場合に比べて性能が低下する可能性がある。よって、低いＳＮＲではサンプル数を増加させて、ＰＴＲＳが４である場合として性能を向上させる必要がある。
【０１２３】
一方、高いＳＮＲでは雑音への影響が減少することができる。よって、ＰＴＲＳの数が少なくても、ＣＰＥ及びＣＦＯの測定が十分可能となり得る。図１５を参照すると、高いＳＮＲでは、ＰＴＲＳ数が２である場合はＰＴＲＳが４である場合より性能が良い可能性がある。すなわち、ＰＴＲＳ数が少なくても、ＣＰＥ及びＣＦＯに対する十分な測定が可能であり、上述のように、ＰＴＲＳ数が増加するとオーバーヘッドが増加するため、かえって性能が低下する可能性がある。
【０１２４】
上述のように、ＰＲＢサイズが小さく、低いＳＮＲ（又は低いＭＣＳ）では、周波数軸のＰＴＲＳ数を増加させることでスペクトル効率を向上させることができる。一方、この場合、参照信号オーバーヘッドが増加することがあり、ＭＵ  ＵＬ（Ｍｕｌｔｉｕｓｅｒ  Ｕｐｌｉｎｋ）を考慮すれば、他の端末に周波数軸でＰＴＲＳが増加したことを通知する必要があるため、更なる手順が必要となる可能性がある。
【０１２５】
このとき、一例として、図１４において、ＰＴＲＳパワーブースティングがオン状態であり、ＰＴＲＳが２である場合、ＰＴＲＳが４である場合よりも常にスペクトル効率が高くなる。すなわち、周波数軸のＰＴＲＳを増加させることよりも、既存のＰＴＲＳのパワーブースティングをオン状態にした方が、スペクトル効率を向上させることができる。ＰＴＲＳパワーブースティングによってＣＰＥ及びＣＦＯの測定が十分に行われることができ、ＰＴＲＳのサンプル数を増加させないことから、参照信号のオーバーヘッドを増加させないことができる。一例として、上述の状況では、ＭＵ  ＵＬを考慮してもＰＴＲＳが周波数軸に増加しないため、他の端末にこれを通知する必要がない。
【０１２６】
すなわち、ＳＮＲの高低を考慮して、周波数軸のＰＴＲＳ数を増加させず、ＰＴＲＳパワーブースティングによって性能を向上させることができ、不要な手順も省略することができる。
【０１２７】
また、一例として、ＳＮＲが高い場合、通常、高いＭＣＳが選ばれる。すなわち、ＳＮＲが高い場合には高いレベルのＭＣＳを選択して使用し、ＳＮＲが低い場合には低いレベルのＭＣＳを選択して使用することができる。よって、上述において、ＳＮＲが高い場合はＭＣＳレベルが高い場合に対応することができる。また、ＳＮＲが低い場合はＭＣＳレベルが低い場合に対応することができる。すなわち、ＭＣＳレベルによって、周波数軸のＰＴＲＳ数を調整せず、ＰＴＲＳパワーブースティングによって性能を向上させることができ、これは上述した通りである。
【０１２８】
より詳細には、図１５及び図１６は、互いに異なるＭＣＳレベルでのスペクトル効率を示す図である。このとき、ブースティングオフの状態でＰＴＲＳが２である場合とＰＴＲＳが４である場合とを比較すると、低いＳＮＲにおけるＰＴＲＳが２である場合、スペクトル効率が低いことが分かり、これは上述した通りである。
【０１２９】
このとき、上述の状況を考慮して、端末は割り当てられたＰＲＢサイズ及びＭＣＳレベルによって、ＰＴＲＳパワーブースティングのオン／オフを決定することができる。一例として、端末のＰＴＲＳパワーブースティングのオン／オフの決定は、暗示的又は明示的に決定することができる。
【０１３０】
また、一例として、ＰＴＲＳパワーブースティングのオン／オフは、以下の表８のように決定することができる。このとき、ＰＲＢサイズが４であり、ＭＣＳレベルが１６ＱＡＭより小さいか同一の場合、周波数軸のＰＴＲＳを２と設定して、ＰＴＲＳパワーブースティングをオン状態にすることができる。一方、ＰＲＢサイズが４であり、ＭＣＳレベルが１６ＱＡＭより大きい場合、周波数軸のＰＴＲＳを２と設定して、ＰＴＲＳパワーブースティングをオフ状態にすることができる。
【０１３１】
また、ＰＲＢサイズが３２であり、ＭＣＳレベルが１６ＱＡＭより小さいか同一の場合、周波数軸のＰＴＲＳを４と設定して、ＰＴＲＳブースティングをオン状態にすることができる。最後に、ＰＲＢサイズが３２であり、ＭＣＳレベルが１６ＱＡＭより大きい場合、周波数軸のＰＴＲＳを４と設定して、ＰＴＲＳパワーブースティングをオフ状態にすることができる。
【０１３２】
すなわち、ＰＴＲＳパワーブースティングのオン／オフとＰＴＲＳ数は、ＰＲＢサイズ及びＭＣＳレベルのうち少なくともいずれか１つ以上に基づいて決定することができる。
【０１３３】
より詳細には、ＰＲＢサイズが小さく、ＭＣＳレベルが低い場合、周波数軸のＰＴＲＳ数を小さくして、ＰＴＲＳパワーブースティングを行うことによって性能を向上させることができる。一方、ＰＲＢサイズが小さくても、ＭＣＳレベルが高い場合には、ＣＰＥ及びＣＦＯに対する十分な推定ができるため、ＰＴＲＳパワーブースティングをオフ状態にすることができる。このとき、上述のように、高いＳＮＲでは、通常、高いレベルのＭＣＳレベルが選択される。すなわち、上述において、ＭＣＳレベルはＳＮＲレベルに対応することができる。
【０１３４】
また、上述した図面において、高いＳＮＲではＰＴＲＳパワーブースティングのオン／オフとは関係なく、類似する性能を示すことができるため、ＭＣＳレベルが高い場合には、ＰＴＲＳパワーブースティングをオフ状態にすることができる。
【０１３５】
また、ＰＲＢサイズがさらに大きくなっても、ＭＣＳレベルが低いと、周波数軸のＰＴＲＳ数を増加させずに、ＰＴＲＳパワーブースティングをオン状態にすることができる。また、ＭＣＳレベルが高い場合であれば、上述のように、ＰＴＲＳブースティングをオフにすることができる。
【０１３６】
このとき、一例として、以下の表８のＰＲＢサイズ及びＭＣＳレベルは、一例に過ぎず、それぞれの値が他の基準値に設定されてもよいが、この実施例に限定されない。
【０１３７】
【表８】
2019535208.tif 000010
【０１３８】
また、一例として、ＰＴＲＳのパワーブースティングがオン状態である場合、ＰＴＲＳパワーブースティングに対するブースティングレベル値が決定されることができる。このとき、ブースティングレベル値はデータシンボルの平均パワー（Ａｖｅｒａｇｅ  Ｐｏｗｅｒ）に対するブースティングレベルのことを意味してもよい。或いは、ブースティングレベル値は、ＰＴＲＳとＰＤＳＣＨとのＥＰＲＥ  ｒａｔｉｏで表現されてもよい。このとき、ＰＤＳＣＨはレイヤー当りＰＤＳＣＨ又はレイヤー当りデータシンボルの平均パワーを示すことができ、この実施例に限定されない。
【０１３９】
また、一例として、ブースティングレベルは３ｄＢ／６ｄＢであってもよい。また、一例として、上記値は端末にＲＲＣ、ＤＣＩ及び／又は規則（ｒｕｌｅ）として設定されてもよいが、この実施例に限定されない。
【０１４０】
すなわち、上述したＰＴＲＳパワーブースティングのオン／オフ及びＰＴＲＳパワーブースティングレベル値は、ＲＲＣ、ＤＣＩ及び／又は規則によって設定することができる。このとき、一例として、ＰＴＲＳパワーブースティングのオン／オフとＰＴＲＳパワーブースティングレベル値は、互いに異なる方式によって指示することができる。すなわち、オーバーヘッド及び遅延を考慮して、所定の条件に基づいて、ＰＴＲＳパワーブースティングのオン／オフが設定され、ＰＴＲＳパワーブースティングレベル値がシグナリングされることができ、これはシステムに基づいて異なるように設定されてもよい。
【０１４１】
また、別の一例として、ＰＴＲＳパワーブースティングレベル値は、レイヤー数に基づいて異なるように設定されてもよい。このとき、一例として、２／４レイヤー（２／４−ｌａｙｅｒ）送信の場合、単一レイヤー（１−ｌａｙｅｒ）送信に比べて、ＰＤＳＣＨが送信される各々のレイヤーのパワーが−３ｄＢ／−６ｄＢと減少することができる。このとき、ＰＴＲＳもそれぞれ−３ｄＢ／−６ｄＢ分だけパワーが減少することができる。よって、上述したパワー減少を補償するために、ＰＴＲＳパワーに対する補償のために、それぞれ３ｄＢ／６ｄＢ分だけブースティングする必要があり得る。但し、不要なパワーブースティングは行わないことが効率的であるため、レイヤー数が少ない場合には、ＰＴＲＳパワーブースティングレベル値を３ｄＢと設定してもよい。すなわち、ＰＴＲＳパワーブースティングレベル値はレイヤー数を考慮して決定されてもよいが、この実施例に限定されない。
【０１４２】
また、上述した図１６において、ＭＣＳレベルの低い場合には３ｄＢブースティングが性能向上に役立つことが分かる。よって、上述の状況では、単一レイヤーでは３ｄＢブースティングが必要となり得て、４レイヤーでは補償すべきパワーまで考慮して、９ｄＢブースティングが必要となり得る。このとき、一例として、パワーブースティングレベル値は、上述の状況を考慮して、次の数式３のようである。次の数式１によると、パワーブースティングレベル値は、レイヤー数が増加するほど高い値に設定されることが分かる。また、一例として、次の数式１において、Ｚ値はＲＲＣと設定されるか、明細書において規則（ｅ．ｇ．３ｄＢ、６ｄＢ）として設定されてもよいが、この実施例に限定されない。
【０１４３】
また、一例として、Ｚ値はＭＣＳレベルによって暗示的（ｉｍｐｌｉｃｉｔ）に決定することができる。このとき、ＭＣＳレベルが低い場合、Ｚ値は３ｄＢと設定することができる。また、ＭＣＳレベルが高い場合、Ｚ値は０ｄＢと設定することができる。すなわち、ＭＣＳレベルが低いとパワーブースティングをオンにして、ＭＣＳレベルが高いとパワーブースティングはオフにすることと同様に、パワーブースティングレベルに対してもＭＣＳレベルを考慮することができる。このとき、ＭＣＳレベルが低い場合には、さらに高いパワーブースティングレベルが設定される必要があるため、Ｚは３ｄＢと設定することができる。また、ＭＣＳレベルが高い場合には、高いパワーブースティングレベルが不要となるため、Ｚを０ｄＢと設定することができるが、この実施例に限定されない。また、ＭＣＳレベルは閾値に基づいて決定することができる。すなわち、ＭＣＳレベルが閾値以下である場合、Ｚは３ｄＢと設定することができる。一方、ＭＣＳレベルが閾値を超える場合、Ｚは０ｄＢと設定されることができる。このとき、閾値は１つの基準値に過ぎず、その他として設定されてもよいが、この実施例に限定されない。
【０１４４】
［数式１］
Ｐｏｗｅｒ  ｂｏｏｓｔｉｎｇ  ｌｅｖｅｌ＝１０×Ｌｏｇ２（＃ｏｆ  ｌａｙｅｒｓ）＋ＺｄＢ
【０１４５】
また、一例として、上述した構成では、規則は送信機と受信機との間で予め定義された（又は、予め約束された）ものであって、特定のＭＣＳレベル及びＰＲＢサイズが定められた場合、別に設定せずに端末が規則に従って動作することを意味してもよい。一例として、「ＰＲＢ  ｓｉｚｅ＝４,  ＭＣＳ  ｌｅｖｅｌ＜＝１６ＱＡＭ（ｃｏｄｅ  ｒａｔｅ＝３／４）」である場合、端末は周波数軸のＰＴＲＳ数＝２、ＰＴＲＳ  ３ｄＢ／６ｄＢ  ｂｏｏｓｔｉｎｇ  ｏｎにしてＰＴＲＳを送信することができる。すなわち、ＰＲＢサイズ及びＭＣＳレベルが１つの条件であって、これに基づいて端末が動作することができる。
【０１４６】
別の一例として、ＰＴＲＳパワーブースティングは、ＰＲＢサイズ及びＭＣＳレベルとは関係なく、常にブースティングしてもよい。このとき、一例として、上述したブースティングレベル値は、端末にＲＲＣ、ＤＣＩ及び規則として設定されてもよいが、この実施例に限定されない。すなわち、ＰＴＲＳパワーブースティングは常にオン状態であってもよいため、別にシグナリングされず、パワーブースティングレベル値のみを指示してもよいが、この実施例に限定されない。
【０１４７】
上述のように、雑音を減らすために、ＰＴＲＳを用いることができる。このとき、ＰＴＲＳに対してパワーブースティングを行うか否かは、上述したＳＮＲレベル（又は、ＭＣＳレベル）によって決定することができる。すなわち、ＰＴＲＳパワーブースティングのオン／オフをＳＮＲレベル（又は、ＭＣＳレベル）によって決定することができる。これは、上述のように、ＰＴＲＳが増加する場合には、参照信号オーバーヘッドが大きくなるため、性能が低下する可能性があり、ＰＴＲＳを増加せずに、ＰＴＲＳパワーをブースティングして性能を向上させることができる。また、これによって、周波数軸のＰＴＲＳを増加させないことから、オーバーヘッドを減らすことができる。また、ＭＵ  ＵＬでも他の端末にＰＴＲＳ増加に関する情報を通知する必要がないため、効率性が増加することができる。
【０１４８】
提案５−２（ＰＴＲＳポート数によるパワーブースティング）
【０１４９】
ＰＴＲＳポートに関連して、直交ＰＴＲＳマルチプレクシング（Ｏｒｔｈｏｇｏｎａｌ  ＰＴＲＳ  ｍｕｌｔｉｐｌｅｘｉｎｇ）が行われてもよい。このとき一例として、図１７では、下りリンクを中心として直交ＰＴＲＳマルチプレクシングを説明するが、上りリンクにも同様に適用することができる。また、以下では、ＯＣＣ（Ｏｒｔｈｏｇｏｎａｌ  Ｃｏｖｅｒ  Ｃｏｄｅ、又はＣＳ（Ｃｙｃｌｉｃ  Ｓｈｉｆｔ））の長さが２である場合に基づいて説明するが、これに限定されず、任意の長さを適用することもできる。
【０１５０】
また、一例として、ＡとＢが直交（ｏｒｔｈｏｇｏｎａｌ）するとは、ＡとＢが互いに異なる時間、周波数又はコードリソースを別として使うことを意味してもよい。一方、直交しない（Ｎｏｎ−ｏｒｔｈｏｇｏｎａｌ）とは、ＡとＢが同一の時間／周波数／コードリソースを使えることを意味してもよい。また、図１７において、レートマッチング（ｒａｔｅ  ｍａｔｃｈｉｎｇ）は端末が当該領域でデータの送信を期待しないことを意味してもよい。すなわち、端末は当該領域でデータを受信しないことを意味することができるが、この実施例に限定されない。
【０１５１】
また、ＰＴＲＳポートはＰＴＲＳパワーブースティングを支援することができる。ＰＴＲＳポートはＦＤＭされることができる。また、ＰＴＲＳパワーブースティングレベルは、ＲＲＣ、ＭＡＣ−ＣＥ及びＤＣＩのうち少なくともいずれか１つに基づいて端末に設定されるか、明細書で規則として定義されてもよく、これについては後述する。
【０１５２】
図１７を参照すると、一例として、４つのＤＭＲＳポート及び２つのＰＴＲＳポートが設定されてもよい。但し、ＤＭＲＳポート及びＰＴＲＳポートの数は変更されてもよいが、この実施例に限定されない。
【０１５３】
このとき、一例として、２つのＤＭＲＳポート（ｅ．ｇ．ＤＭＲＳ  ｐｏｒｔ  ＃１，＃２）はＣＳによって周波数ドメインで定義されてもよい。このとき、周波数ドメインでＣｏｍｂ  ２方式で配置されることができる。ＤＭＲＳポート＃１及びＤＭＲＳポート＃２の線形結合（ｌｉｎｅａｒ  ｃｏｍｂｉｎａｔｉｏｎ）によって、それぞれ（Ａ）及び（Ｃ）と定義されてもよい。すなわち、［ＤＭＲＳポート＃１＋ＤＭＲＳポート＃２］（＝（Ａ））及び［ＤＭＲＳポート＃１−ＤＭＲＳポート＃２］（＝（Ｃ））と定義されてもよい。このとき、ＰＴＲＳポート＃１は、ＤＭＲＳポート＃１及びＤＭＲＳポート＃２に基づいて、（ａ）及び（ｃ）のように定義されることができる。すなわち、ＤＭＲＳポート＃１及びＤＭＲＳポート＃２が割り当てられた周波数ドメインと同軸にＰＴＲＳポート＃１が定義されてもよい。
【０１５４】
また、一例として、ＤＭＲＳポート＃３及びＤＭＲＳポート＃４の線形結合によって、それぞれ（Ｂ）と（Ｄ）が定義されてもよい。すなわち、［ＤＭＲＳポート＃３＋ＤＭＲＳポート＃４］（＝（Ｂ））と［ＤＭＲＳポート＃１−ＤＭＲＳポート＃２］（＝（Ｄ））と定義されることができる。このとき、ＰＴＲＳポート＃２は、ＤＭＲＳポート＃３及びＤＭＲＳポート＃４に基づいて、（ｂ）及び（ｄ）のように定義されることができる。すなわち、ＤＭＲＳポート＃３及びＤＭＲＳポート＃４が割り当てられた周波数ドメインと同軸にＰＴＲＳポート＃２が定義されてもよい。
【０１５５】
また、一例として、図１７においてＰＴＲＳポート＃１は、上述した（ａ）と（ｃ）のうち１つにのみ対応することができる。また、ＰＴＲＳポート＃２も、上述した（ｂ）と（ｄ）のうち１つにのみ対応することができる。より詳細には、ＰＴＲＳポートはそれぞれのＲＢにおいてその周波数位置を同様に設定できる。すなわち、ＰＴＲＳポート＃１は（ａ）と（ｃ）のうちいずれか一方にのみ設定される共に、他方には設定されない。また、ＰＴＲＳポート＃２も（ｂ）と（ｄ）のうちいずれか一方にのみ設定されると共に、他方には設定されない。一例として、１つの端末が２つのＰＴＲＳポートを割り当てられた場合、ＰＴＲＳポート＃１は（ａ）と（ｃ）のうちいずれか一方に割り当てられ、ＰＴＲＳポート＃２は（ｂ）と（ｄ）のうちいずれか一方に割り当てられる。図１７は、それぞれの場合を示すための実施例であり、それぞれのＲＢに対しては、上述のように別々に解釈することができる。上述のように、ＰＴＲＳポートの周波数位置は、ＰＴＲＳポートに関連するＤＭＲＳポートグループの１つ又はそれ以上のＤＭＲＳポートが位置した位置に割り当てられることができる。このとき、ＰＴＲＳポートに関連するＤＭＲＳポートグループは、同一の位相ソース（ｐｈａｓｅ  ｓｏｕｒｃｅ）を有することができる。また、ＰＴＲＳポートに対する時間軸の位置は、図１８のように、パターン１又はパターン２のようである。すなわち、全てのＯＦＤＭシンボルに割り当てられるか、所定のパターンに基づいて割り当てられてもよいが、この実施例に限定されない。一例として、時間軸パターンは、ＲＲＣ、ＭＡＣ  ＣＥ及びＤＣＩのうち少なくともいずれか１つによって端末に設定されることができる。また、一例として、明細書で規則として定義されてもよい。また、ＳＵ（Ｓｉｎｇｌｅ  Ｕｓｅｒ）に基づいてＰＴＲＳポートマルチプレクシングが行われてもよい。また、ＭＵ（Ｍｕｌｔｉ  Ｕｓｅｒ）に基づいてＰＴＲＳポートマルチプレクシングが行われてもよい。
【０１５６】
ＳＵに基づいてＰＴＲＳポートマルチプレクシングが行われる場合、１つの端末に複数のＰＴＲＳポートが直交（Ｏｒｔｈｏｇｏｎａｌ）して定義されてもよい。一例として、端末にＤＭＲＳポート＃１及びＤＭＲＳポート＃３が割り当てられてもよい。このとき、ＤＭＲＳポート＃１に対応するＰＴＲＳポートは、ＰＴＲＳポート＃１であり得る。また、ＤＭＲＳポート＃３に対応するＰＴＲＳポートは、ＰＴＲＳポート＃３であり得る。このとき、ＰＴＲＳポート同士は直交して定義されることができる。
【０１５７】
但し、上述したポート番号は一例に過ぎない。より詳細には、１つの端末に割り当てられた複数のＰＴＲＳポートが直交して定義されることができ、このポート番号に制限されない。一例として、図１７において、ＰＴＲＳポート＃１及びＰＴＲＳポート＃２は、１つの端末に割り当てられて互いに直交して定義されてもよい。上述では、ＰＴＲＳポート＃２又はＰＴＲＳポート＃３と記載したが、このポート番号には制限されず、１つの端末において直交するＰＴＲＳポートが定義されてもよい。
【０１５８】
また、ＭＵに基づいてＰＴＲＳポートマルチプレクシングが行われることができる。このとき、互いに異なるＯＣＣ（又は、ＣＳ）に定義された複数のＤＭＲＳポートと関連する複数のＰＴＲＳポートが直交してマルチプレクシングを支援することができる。
【０１５９】
このとき、一例として、上述のように、基地局は端末にＰＴＲＳパワーブースティングレベルをＲＲＣ、ＭＡＣ−ＣＥ及びＤＣＩのうち少なくともいずれか１つを用いて指示することができる。また、一例として、ＰＴＲＳパワーブースティングレベルは、明細書で規則として定義されてもよい。
【０１６０】
このとき、一例として、上述したＳＵによる場合及びＭＵによる場合において、１つのＰＴＲＳポートを受信するときには他のＰＴＲＳポートによってデータが送信されない。一例として、上述したＰＴＲＳポート＃１を受信する場合、ＰＴＲＳポート＃２ではデータが送信されない。また、上述したＰＴＲＳポート＃１を受信する場合、ＰＴＲＳポート＃３ではデータが送信されない。よって、ＰＴＲＳポート＃２（又は、ＰＴＲＳポート＃３）に割り当てられたパワーを用いてＰＴＲＳポート＃１のパワーをブースティングすることができる。このとき、パワーブースティングレベルは同一のＯＦＤＭシンボルに定義されたＺＰ（Ｚｅｒｏ  Ｐｏｗｅｒ）ＰＴＲＳ数に関連して定義することができる。すなわち、同一のＯＦＤＭシンボルでＰＴＲＳポートパワーが０である場合に基づいてパワーブースティングレベルを決定してもよい。このとき、一例として、図１７では、２つのＰＴＲＳポートが設定され、１つのＰＴＲＳポートのみが用いられる場合、パワーブースティングレベルは３ｄＢと定義することができる。
【０１６１】
また、一例として、ＰＴＲＳパワーブースティングレベルは、ＰＴＲＳとＰＤＳＣＨのパワー比率で示すことができる。このとき、ＰＴＲＳポートが１つである場合には、パワーブースティングのためのＺＰ  ＰＴＲＳが存在しないため、ＰＴＲＳパワーブースティングレベルは０ｄＢと設定されることができる。一方、ＰＴＲＳポートが２つであり、上述のように、１つのＰＴＲＳポートが受信され、他のＰＴＲＳポートでデータが送信されない場合には、ＰＴＲＳパワーブースティングレベルは３ｄＢと設定することができる。
【０１６２】
このとき、ＰＴＲＳパワーブースティングレベルに対しては、上述したＳＵによる場合及びＭＵによる場合のいずれにも同様に適用できるが、この実施例に限定されない。
【０１６３】
提案６−１（ＰＴＲＳ及びＤＭＲＳマッピングによるパワーブースティング）
【０１６４】
１つの端末におけるＰＴＲＳとデータの送信及び受信において直交マルチプレクシング（ｏｒｔｈｏｇｏｎａｌ  ｍｕｌｔｉｐｌｅｘｉｎｇ）が適用できる。よって、１つの端末においてＰＴＲＳリソース要素とデータリソース要素とはオーバーラップしない。また、一例として、端末に複数のＰＴＲＳが定義されてもよい。このとき、ｎ番目のＰＴＲＳポートにマッピングされたＤＭＲＳポート数がＮｎであり、全体のＤＭＲＳポート数がＮである場合、ｎ番目のＰＴＲＳポートはＮ／Ｎｎ分だけパワーブースティングされることができる。すなわち、ＰＴＲＳパワーはリソース要素別に利用可能な最大の送信パワーを用いるために、Ｎ／Ｎｎ分だけブースティングされることができる。
【０１６５】
このとき、一例として、端末はＮ番目のＰＴＲＳとＤＭＲＳのマッピング関係に従って、ブースティングレベルを暗示的（ｉｍｐｌｉｃｉｔ）に決定することができる。また、一例として、上述したパワーブースティングの可否及び／又はブースティング値はＲＲＣ、ＤＣＩ及びＭＡＣ−ＣＥのうち少なくともいずれか１つによって明示的（ｅｘｐｌｉｃｉｔ）に指示することができる。別の一例として、パワーブースティングの可否及び／又はブースティング値は規則として決定することができ、この実施例に限定されない。このとき、一例として、パワーブースティングの可否は、基地局がＲＲＣ及びＤＣＩのうち少なくともいずれか１つによって設定（Ｃｏｎｆｉｇｕｒｅ）することができ、規則として決定することができるが、この実施例に限定されない。
【０１６６】
別の一例として、ＰＴＲＳとＤＭＲＳのマッピング関係は規則として暗示的に決定することができる。また、一例として、ＰＴＲＳとＤＭＲＳのマッピング関係は、ＲＲＣ、ＤＣＩ及びＭＡＣ−ＣＥのうち少なくともいずれか１つによって明示的に指示することができる。
【０１６７】
別の一例として、基地局が端末にＰＴＲＳポートをＲＲＣ、ＤＣＩ及びＭＡＣ−ＣＥのうち少なくともいずれか１つによって明示的に指示する場合、端末はこれを用いてＰＴＲＳとＤＭＲＳのマッピング関係を分かることができる。
【０１６８】
一例として、ＰＴＲＳポート＃１はＤＭＲＳポート＃１、＃２とマッピングされ、ＰＴＲＳポート＃２はＤＭＲＳポート＃３、＃４とマッピングされる。或いは、上述した実施例において、ＰＴＲＳポート＃１はＤＭＲＳポート＃１、ＰＴＲＳポート＃２はＤＭＲＳポート＃３とマッピングされることができる。但し、これは一例に過ぎず、この実施例に限定されない。
【０１６９】
また、上述した提案は、上りリンクに限定されず、下りリンクに対してもパワーブースティングのために同様に適用することができ、この実施例に限定されない。
【０１７０】
提案６−２（関連するＤＭＲＳポートグループのレイヤー数に基づいたＰＴＲＳパワーブースティング）
【０１７１】
ＰＴＲＳポートとＤＭＲＳポートはＱＣＬ（Ｑｕａｓｉ−Ｃｏ−Ｌｏｃａｔｉｏｎ）関係にあり得る。すなわち、Ｌａｒｇｅ  Ｓｃａｌｅ  Ｐｒｏｐｅｒｔｙに対しては、ＰＴＲＳポートとＤＭＲＳポートが同様に適用される。但し、一例として、ＰＴＲＳパワーブースティングが行われる場合、ＰＴＲＳポートとＤＭＲＳポートとの間に平均ゲイン（ａｖｅｒａｇｅ  ｇａｉｎ）の観点からＱＣＬが適用されなくてもよい。すなわち、上述の状況では、ＱＣＬのための別の定義が必要となり得る。
【０１７２】
このとき、一例として、端末は下りリンクＰＴＲＳパワーブースティングレベルをＰＴＲＳが含まれたＤＭＲＳポートグループの全レイヤー（Ｔｏｔａｌ  Ｌａｙｅｒ）によって決定することができる。より詳細には、パワーブースティングレベルはＰＤＳＣＨに送信される１つのレイヤーに対するパワーオフセット値（ｐｏｗｅｒ  ｏｆｆｓｅｔ  ｖａｌｕｅ）であってもよい。このとき、上述したレイヤーはＰＴＲＳと関連（ａｓｓｏｃｉａｔｅｄ）するＤＭＲＳポートグループに含まれているものと限定されてもよい。このとき、一例として、ＰＴＲＳパワーブースティングレベルは、次の数式２に基づいて決定することができる。
【０１７３】
［数式２］
ＰＴＲＳ  Ｐｏｗｅｒ  ｂｏｏｓｔｉｎｇ  ｌｅｖｅｌ＝１０×ｌｏｇ１０（Ｌ）
【０１７４】
このとき、ＬはＰＴＲＳポートに関連するＤＭＲＳポートグループの全レイヤー数であってもよい。すなわち、ＰＴＲＳパワーブースティングレベルは、ＤＭＲＳポートグループの全レイヤー数に基づいて決定することができる。
【０１７５】
一例として、２つのＤＭＲＳポートグループ＃０及びＤＭＲＳポートグループ＃１の各々のレイヤー数が２及び３である場合が考えられる。このとき、ＤＭＲＳポートグループ＃０のみがＰ ＴＲＳポート＃０を送信する場合、ＰＴＲＳパワーブースティングレベルは３ｄＢとなる。すなわち、上記数式２においてＬは２であり、ＰＴＲＳパワーブースティングレベルは３ｄＢとなり得る。
【０１７６】
また、一例として、上述したレイヤー数はＤＭＲＳポート数に対応することができる。すなわち、ＤＭＲＳポートグループの全レイヤー数とＤＭＲＳポート数とは同一であってもよい。このとき、一例として、提案６−１との関係からして、提案６−２では、複数のＤＭＲＳポートグループが存在する場合に適用することができる。一例として、ＤＭＲＳポートグループ＃１及びＤＭＲＳポートグループ＃２が存在する。このとき、ＤＭＲＳポートグループ＃１にはＤＭＲＳポート＃１及びＤＭＲＳポート＃２が割り当てられ、ＤＭＲＳポートグループ＃２にはＤＭＲＳポート＃３、ＤＭＲＳポート＃４及びＤＭＲＳポート＃５が割り当てられた場合を考慮することができる。このとき、ＰＴＲＳポート＃１はＤＭＲＳポート＃１に対応して、ＰＴＲＳポート＃２はＤＭＲＳポート＃３に対応する場合、上述のように、レイヤー数がＤＭＲＳポート数に対応することができるため、ＰＴＲＳポート＃１は１０＊ｌｏｇ１０（２）分だけブースティングすることができる。また、ＰＴ−ＲＳポート＃２は１０＊ｌｏｇ１０（３）分だけブースティングすることができる。
【０１７７】
また、一例として、ＤＭＲＳポートグループ＃１のみがＰＴＲＳポート＃０を送信する場合、ＰＴＲＳパワーブースティングレベルは４．７７ｄＢとなる。すなわち、上記数式２において、Ｌは３であり、ＰＴＲＳパワーブースティングレベルは４．７７ｄＢとなる。
【０１７８】
別の一例として、端末はＰＴＲＳパワーブースティングレベルをＰＴＲＳが含まれたＤＭＲＳポートグループの総レイヤー数及びＰＴＲＳを送信する他のＤＭＲＳポートグループ数に基づいて決定することができる。より詳細には、図１９を参照すると、ＤＭＲＳポート＃０と＃１が互いに異なるＤＭＲＳポートグループに含まれ、ＰＴＲＳポート＃０のみが送信される場合が考えられる。このとき、ＰＴＲＳポート＃０は、パワーが供給されるレイヤー又はＲＥがないため、パワーブースティングができない可能性がある。すなわち、ＤＭＲＳポートグループの総レイヤー数が１であるため、パワーブースティングを行うことができない。
【０１７９】
別の一例として、他のＵＥに割り当てられたＰＴＲＳ領域にはデータが送信されない可能性がある。すなわち、他の端末のＰＴＲＳを使うか否かとは関係なく、ＰＴＲＳに該当するＲＥを使用しなくてもよい。このとき、端末はＰＴＲＳポートにデータを送信しないため、当該パワーをＰＴＲＳパワーブースティングに用いることができる。一例として、端末はポート＃２にデータが送信されない場合、端末はポート＃１のＰＴＲＳパワーをポート＃２に対するパワーに基づいてブースティングすることができるが、この実施例に限定されない。このとき、パワーブースティング可否は、基地局がＤＣＩ及びＲＲＣのうち少なくとも１つを用いて設定（ｃｏｎｆｉｇｕｒｅ）することができる。また、パワーブースティング可否は、標準スペック（ｓｐｅｃ）として決定することができ、この実施例に限定されない。
【０１８０】
上述の状況を考慮して、一例として、図２０を参照すると、ＤＭＲＳポート＃０と＃１が互いに異なるＤＭＲＳポートグループに含まれ、ＰＴＲＳポート＃０及びＰＴＲＳポート＃１が送信される場合が考えられる。このとき、ＰＴＲＳポート＃０はパワーが供給される他のＲＥが存在する可能性がある。すなわち、ＰＴＲＳポート＃１が送信されるＲＥがあるため、ＰＴＲＳパワーブースティングが可能である。
【０１８１】
すなわち、活性化したＰＴＲＳポートがある場合には、ＰＴＲＳポートに対するＲＥによってパワーブースティングが可能であり、上記数式２は、次の数式３のように変更されてもよい。
【０１８２】
［数式３］
ＰＴＲＳ  Ｐｏｗｅｒ  ｂｏｏｓｔｉｎｇ  ｌｅｖｅｌ＝１０×ｌｏｇ１０（Ｌ）＋１０×ｌｏｇ１０（Ｐ）
【０１８３】
このとき、Ｌは、上述のように、ＰＴＲＳポートが関連するＤＭＲＳポートグループの総レイヤー数であり、Ｐは、活性化した（ａｃｔｉｖａｔｅｄ）ＰＴＲＳポートの総数である。すなわち、ＰＴＲＳパワーブースティングレベルは、ＤＭＲＳポートグループの総レイヤー数及び活性化したＰＴＲＳポートの総数をいずれも考慮して決定することができる。
【０１８４】
このとき、一例として、ＰＴＲＳパワーブースティングレベルが閾値以上である場合、ＰＴＲＳパワーブースティングレベルを特定の値に限定することができる。すなわち、閾値以上にはＰＴＲＳパワーブースティングレベルを設定しなくてもよい。一例として、ＰＴＲＳパワーブースティングレベルが６ｄＢ以上である場合、ＰＴＲＳパワーブースティングレベルを６ｄＢと設定することができる。すなわち、６ｄＢを閾値に設定することができる。このとき、閾値は上位層信号及び規則のうち少なくともいずれか１つに基づいて明示されてもよい。また、標準スペック（ｓｐｅｃ）として予め設定されてもよい。
【０１８５】
具体例として、ＤＭＲＳポートグループ＃０及びＤＭＲＳポートグループ＃１がいずれもＰＴＲＳポート＃０及びＰＴＲＳポート＃１を送信する場合が考えられる。このとき、ＰＴＲＳポート＃０のＰＴＲＳパワーブースティングレベルは６ｄＢに限定して、ＰＴＲＳポート＃１のパワーブースティングレベルは７．７７ｄＢに限定することができるが、この実施例に限定されない。
【０１８６】
別の一例として、ＤＭＲＳポートグループ＃０のレイヤー数が２、ＤＭＲＳポートグループ＃１のレイヤー数が３、ＤＭＲＳポートグループ＃２のレイヤー数が１及びＤＭＲＳポートグループ＃３のレイヤー数が２である場合が考えられる。このとき、上述したＤＭＲＳポートグループがいずれもＰＴＲＳポート＃０、ＰＴＲＳポート＃１、ＰＴＲＳポート＃２及びＰＴＲＳポート＃３を送信する場合、それぞれのＰＴ−ＲＳポート当りパワーブースティングレベルは、以下の表９のようである。すなわち、上記数式３に基づいてパワーブースティングレベルを決定することができる。
【０１８７】
【表９】
2019535208.tif 000011
【０１８８】
図２１は、通信システムにおいて基地局が位相雑音を除去するための信号を送信する方法に関するフローチャートである。
【０１８９】
基地局はＰＴＲＳを生成することができる。（Ｓ２１１０）このとき、図１〜図２０において上述したように、基地局が送信するＰＴＲＳは位相雑音を除去するための参照信号であり得る。
【０１９０】
次に、基地局は下りリンクシグナリングを介してＰＴＲＳパワーブースティングレベル情報を端末に送信することができる。（Ｓ２１２０）このとき、図１〜図２０において上述したように、ＰＴＲＳパワーブースティングレベル情報は、ＭＣＳレベル及びＰＲＢサイズのうち少なくともいずれか１つに基づいて決定することができる。また、一例として、ＰＴＲＳパワーブースティングレベル情報は、ＲＲＣ、ＤＣＩ及び／又は規則として端末に設定することができる。このとき、一例として、ＰＴＲＳブースティングレベル情報は、ＰＴＲＳパワーブースティングのオン／オフを指示する情報であり得る。一例として、上述のように、ＭＣＳレベルが予め設定された値よりも小さい場合には、ＰＴＲＳパワーブースティングはオン状態に決定される。このとき、一例として、ＭＣＳレベルの予め設定された値は１６ＱＡＭである。また、ＰＲＢサイズが小さい場合には、周波数軸のＰＴＲＳ数は小さい値を有して、パワーブースティングされ使用されることができるが、これは上述した通りである。
【０１９１】
すなわち、ＭＣＳレベルが予め設定された値よりも小さいか同一の場合、周波数軸のＰＴＲＳ数はＰＲＢサイズを考慮して予め設定された数に決定することができる。また、ＭＣＳレベルが予め設定された値よりも大きい場合には、上述のように、ＰＴＲＳパワーブースティングがオフの状態であってもよい。また、一例として、ＳＮＲが高い場合には、通常、ＭＣＳレベルが高く決定されるため、ＳＮＲが高い場合には、ＰＴＲＳパワーブースティングがオフの状態であってもよく、これは上述した通りである。
【０１９２】
次に、ＰＴＲＳパワーブースティングレベル情報に基づいてＰＴＲＳが送信されることができる。（Ｓ２１３０）このとき、図１〜図２０において上述したように、ＰＴＲＳパワーブースティングレベルはＰＴＲＳパワーブースティングのオン／オフを示す情報であり得る。また、ＰＴＲＳパワーブースティングに対するレベル値であってもよい。このとき、一例として、ＰＴＲＳパワーブースティングに対するレベル値は３ｄＢ又は６ｄＢであってもよい。また別の一例として、ＰＴＲＳパワーブースティングに対するレベル値はレイヤー数に基づいて決定されてもよく、これは上述した通りである。
【０１９３】
図２２は、ＰＴＲＳパワーブースティングを行うか否かを決定する方法を示す図である。ＰＲＢサイズ及びＭＣＳレベルを決定することができる。（Ｓ２２１０）このとき、図１〜図２１において上述したように、決定されたＰＲＢサイズ及びＭＣＳレベルに基づいてＰＴＲＳに対するＰＴＲＳパワーブースティングレベルが決定されてもよい。このとき、ＰＲＢサイズが小さい場合には、ＰＴＲＳ数も少なくなる。また、ＰＲＢサイズが大きくなる場合には、ＰＴＲＳ数も多くなる。また、一例として、上述したように、ＳＮＲが高い場合には、通常、ＭＣＳレベルが高い。よって、一例として、ＰＴＲＳパワーブースティングレベルはＳＮＲレベルに基づいて決定されてもよく、これは上述した通りである。
【０１９４】
次に、ＭＣＳレベルが予め設定された値よりも小さいか同一の場合（Ｓ２２２０）、ＰＲＢサイズに基づいて周波数軸のＰＴＲＳ数が決定され、ＰＴＲＳパワーブースティングはオン状態になり得る。（Ｓ２２３０）また、ＭＣＳレベルが予め設定された値よりも大きい場合（Ｓ２２２０）、ＰＲＢサイズに基づいて周波数軸のＰＴＲＳ数が決定され、ＰＴＲＳパワーブースティングはオン状態になり得る。（Ｓ２２４０）このとき、図１〜図２１において上述したように、ＭＣＳレベルが予め設定された値よりも小さいか同一の場合には、周波数軸のＰＴＲＳ数を増加させず、ＰＴＲＳパワーブースティングによってＰＴＲＳを送信することができる。これによって、ＰＴＲＳ数が増加しないため、参照信号のオーバーヘッドによる性能劣化が減少できる。一方、ＰＴＲＳパワーブースティングによって、ＣＰＥ及びＣＦＯの推定性能が向上できるため、性能劣化を防ぐことができる。また、一例として、予め設定されたＭＣＳレベル値は１６ＱＡＭであってもよい。但し、これは一例に過ぎず、この実施例に限定されない。
【０１９５】
また、ＭＣＳレベルが予め設定された値より大きい場合には、周波数軸のＰＴＲＳ数を増加させず、ＰＴＲＳパワーブースティングをオフ状態に維持することもできる。これは、上述のように、ＭＣＳレベルが高い場合は、ＳＮＲが高い場合であり得る。このとき、ＳＮＲが高いため、ＣＰＥ及びＣＦＯに対する推定性能をある程度保証できるため、ＰＴＲＳに対するＰＴＲＳパワーブースティングが不要となる可能性がある。
【０１９６】
別の一例として、ＰＴＲＳパワーブースティングがオン状態である場合、異なるＰＴＲＳパワーブースティングレベル値を設定することもできる。また、一例として、ＰＴＲＳパワーブースティングレベル値はレイヤー数に基づいて決定されてもよく、これは上述した通りである。
【０１９７】
別の一例として、ＰＴＲＳパワーブースティングはＭＣＳレベルには関係なく常にオン状態であってもよい。このとき、別の一例として、ＰＴＲＳパワーブースティングに対して異なるレベル値を設定することができ、これは上述した通りである。
【０１９８】
また、図１〜図２１において、基地局が下りリンクを送信することを中心として説明したが、上りリンクに対しても同様に適用できる。すなわち、端末がＰＴＲＳを生成して、ＰＴＲＳに対するＰＴＲＳパワーブースティングレベル情報を基地局に送信した後、ＰＴＲＳを基地局に送信する場合にも、上述した実施例が同様に適用できる。
【０１９９】
装置構成
【０２００】
図２３は、本発明の一実施例による端末及び基地局の構成を示す図である。図２３において、端末１００及び基地局２００は、それぞれ無線周波数（ＲＦ）ユニット１１０，２１０、プロセッサ１２０，２２０及びメモリ１３０，２３０を含むことができる。図２３では、端末１００と基地局２００との１：１の通信環境のみを示したが、複数の端末と複数の基地局との通信環境を構築することもできる。また、図２３に示された基地局２００は、マクロセル基地局とスモールセル基地局のいずれにも適用できる。
【０２０１】
ＲＦユニット１１０，２１０は、それぞれ、送信部１１２，２１２及び受信部１１４，２１４を含むことができる。端末１００の送信部１１２及び受信部１１４は、基地局２００及び他の端末と信号を送信及び受信するように構成され、プロセッサ１２０は送信部１１２及び受信部１１４と機能的に接続されて、送信部１１２及び受信部１１４が他の機器と信号を送受信する過程を制御するように構成されることができる。また、プロセッサ１２０は送信する信号に対する各種の処理を行った後、送信部１１２に送信して、受信部１１４が受信した信号に対する処理を行う。
【０２０２】
必要に応じて、プロセッサ１２０は交換されたメッセージに含まれた情報をメモリ１３０に記憶することができる。このような構造により、端末１００は、前述した本発明の様々な実施の形態の方法を実行することができる。
【０２０３】
基地局２００の送信部２１２及び受信部２１４は、他の基地局及び端末と信号を送信及び受信するように構成され、プロセッサ２２０は、送信部２１２及び受信部２１４と機能的に接続して送信部２１２及び受信部２１４が他の機器と信号を送受信する過程を制御するように構成されることができる。また、プロセッサ２２０は、送信する信号に対する各種の処理を行った後に送信部２１２に送信し、受信部２１４が受信した信号に対する処理を行うことができる。必要に応じて、プロセッサ２２０は、交換されたメッセージに含まれた情報をメモリ２３０に記憶させることができる。このような構造により、基地局２００は、前述した様々な実施の形態の方法を実行することができる。
【０２０４】
端末１００及び基地局２００のプロセッサ１２０，２２０はそれぞれ、端末１００及び基地局２００における動作を指示（例えば、制御、調整、管理など）する。それぞれのプロセッサ１２０，２２０は、プログラムコード及びデータを格納するメモリ１３０，２３０と接続してもよい。メモリ１３０，２３０は、プロセッサ１２０，２２０に接続して、オペレーティングシステム、アプリケーション、及び一般ファイル（ｇｅｎｅｒａｌ  ｆｉｌｅｓ）を格納する。
【０２０５】
本発明のプロセッサ１２０，２２０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などとも呼ばれる。一方、プロセッサ１２０，２２０は、ハードウェア（ｈａｒｄｗａｒｅ）又はファームウェア（ｆｉｒｍｗａｒｅ）、ソフトウェア、又はこれらの結合によって実装されてもよい。
【０２０６】
ハードウェアによる実装の場合、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１２０、２２０に備えられてもよい。
【０２０７】
ファームウェアやソフトウェアによる実装では、本発明の一実施例による方法は、以上で説明された機能又は動作を実行するモジュール、手順、関数などの形態で実装されてもよい。ソフトウェアコードは、メモリユニットに格納され、プロセッサによって駆動可能である。メモリユニットは、プロセッサの内部又は外部に設けられ、既知の様々な手段によってプロセッサとデータを交換することができる。
【０２０８】
上述したように開示された本発明の好ましい実施の形態に関する詳細な説明は、当業者が本発明を実装し実施できるように提供された。以上では本発明の好ましい実施の形態を参照して説明したが、当該技術の分野における熟練した当業者は、下記の特許請求の範囲に記載された本発明の思想及び領域から逸脱しない範囲内で、本発明を様々に修正及び変更できることが理解できる。したがって、本発明は、ここに表した実施の形態に制限されるものではなく、ここに開示された原理及び新規な特徴と一致する最も広い範囲を付与しようとするものである。また、以上では本明細書の好ましい実施例について図示及び説明したが、本明細書は、上述した特定の実施例に限定されず、特許請求の範囲で請求する本明細書の要旨から逸脱することなく、当該発明の属する技術の分野における通常の知識を有する者にとって様々な変形実施が可能であることは勿論、それらの変形実施は本明細書の技術的思想や展望から離れて理解されてはならない。
【０２０９】
また、当該明細書では、物の発明及び方法の発明が両方説明されており、必要に応じて両発明の説明は補充的に適用されてもよい。
【産業上の利用可能性】
【０２１０】
上述した内容は、３ＧＰＰ  ＬＴＥ、ＬＴＥ−Ａシステムのみならず、その他にもＩＥＥＥ  ８０２．１６ｘ、８０２．１１ｘシステムを含む様々な無線通信システムに適用することができる。さらに、提案した方法は、超高周波帯域を用いるｍｍＷａｖｅ通信システムに適用することもできる。
【図１（ａ）】
2019535208.tif 000012
【図１（ｂ）】
2019535208.tif 000013
【図２（ａ）】
2019535208.tif 000014
【図２（ｂ）】
2019535208.tif 000015
【図３】
2019535208.tif 000016
【図４（ａ）】
2019535208.tif 000017
【図４（ｂ）】
2019535208.tif 000018
【図４（ｃ）】
2019535208.tif 000019
【図５】
2019535208.tif 000020
【図６】
2019535208.tif 000021
【図７】
2019535208.tif 000022
【図８（ａ）】
2019535208.tif 000023
【図８（ｂ）】
2019535208.tif 000024
【図９】
2019535208.tif 000025
【図１０（ａ）】
2019535208.tif 000026
【図１０（ｂ）】
2019535208.tif 000027
【図１１（ａ）】
2019535208.tif 000028
【図１１（ｂ）】
2019535208.tif 000029
【図１２】
2019535208.tif 000030
【図１３】
2019535208.tif 000031
【図１４】
2019535208.tif 000032
【図１５】
2019535208.tif 000033
【図１６】
2019535208.tif 000034
【図１７】
2019535208.tif 000035
【図１８】
2019535208.tif 000036
【図１９】
2019535208.tif 000037
【図２０】
2019535208.tif 000038
【図２１】
2019535208.tif 000039
【図２２】
2019535208.tif 000040
【図２３】
2019535208.tif 000041
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
無線通信システムにおける基地局が、端末による受信機位相トラッキングを可能にするためにＰＴＲＳ（Ｐｈａｓｅ  Ｔｒａｃｋｉｎｇ  Ｒｅｆｅｒｅｎｃｅ  Ｓｉｇｎａｌ）を前記端末に送信する方法であって、
前記基地局によって行われ、
前記ＰＴＲＳを生成するステップと、
ＰＴＲＳパワーブースティングレベルに基づいて、前記ＰＴＲＳを前記端末に送信するステップであって、前記ＰＴＲＳパワーブースティングレベルは、前記ＰＴＲＳと関連したＰＤＳＣＨ（Ｐｈｙｓｉｃａｌ  Ｄｏｗｎｌｉｎｋ  Ｓｈａｒｅｄ  Ｃｈａｎｎｅｌ）レイヤーの数に基づいて、前記基地局によって決定される、ステップと、を含む、方法。
【請求項２】
無線通信システムにおける端末が、基地局からＰＴＲＳ（Ｐｈａｓｅ  Ｔｒａｃｋｉｎｇ  Ｒｅｆｅｒｅｎｃｅ  Ｓｉｇｎａｌ）を受信する方法であって、
前記端末によって行われ、
前記ＰＴＲＳと関連したＰＤＳＣＨ（Ｐｈｙｓｉｃａｌ  Ｄｏｗｎｌｉｎｋ  Ｓｈａｒｅｄ  Ｃｈａｎｎｅｌ）レイヤーの数に関する情報を取得するステップと、
前記基地局から前記ＰＴＲＳを受信するステップと、
前記取得された情報に基づいて決定されるＰＴＲＳパワーブースティングレベルに基づいて、前記ＰＴＲＳを処理するステップと、
前記ＰＴＲＳに基づいて、位相トラッキング補償を行うステップと、を含む、方法。
【請求項３】
前記取得された情報は、前記ＰＴＲＳのパワーブースティングのオン／オフ状態を示すＰＴＲＳパワーブースティング情報をさらに含む、請求項２に記載の方法。
【請求項４】
前記ＰＴＲＳパワーブースティング情報は、ＲＲＣ（Ｒａｄｉｏ  Ｒｅｓｏｕｒｃｅ  Ｃｏｎｔｒｏｌ）シグナリングを介して前記端末に送信される、請求項３に記載の方法。
【請求項５】
前記ＰＤＳＣＨレイヤーの数がＬであるとき、前記ＰＴＲＳパワーブースティングのレベル値は、数式
ＰＴＲＳパワーブースティングレベルのレベル値＝１０×ｌｏｇ２（Ｌ）
を満たす、請求項２に記載の方法。
【請求項６】
前記ＰＤＳＣＨレイヤーの数は、前記ＰＴＲＳと関連したＤＭＲＳ（Ｄｅｍｏｄｕｌａｔｉｏｎ  Ｒｅｆｅｒｅｎｃｅ  Ｓｉｇｎａｌ）ポートの数に対応する、請求項２に記載の方法。
【請求項７】
ＰＴＲＳパワーブースティングのレベル値は、前記ＰＴＲＳとＰＤＳＣＨ（Ｐｈｙｓｉｃａｌ  Ｄｏｗｎｌｉｎｋ  Ｓｈａｒｅｄ  Ｃｈａｎｎｅｌ）との間のＥＰＲＥ（Ｅｎｅｒｇｙ  Ｐｅｒ  Ｒｅｓｏｕｒｃｅ  Ｅｌｅｍｅｎｔ）比率に対応する、請求項２に記載の方法。
【請求項８】
無線通信システムにおいて、基地局からＰＴＲＳ（Ｐｈａｓｅ  Ｔｒａｃｋｉｎｇ  Ｒｅｆｅｒｅｎｃｅ  Ｓｉｇｎａｌ）を受信する端末であって、
外部デバイスから信号を受信するように設定される受信部と、
前記外部デバイスに信号を送信するように設定される送信部と、
前記受信部及び送信部を制御するように設定されるプロセッサと、を含み、
前記プロセッサは、
前記ＰＴＲＳと関連したＰＤＳＣＨ（Ｐｈｙｓｉｃａｌ  Ｄｏｗｎｌｉｎｋ  Ｓｈａｒｅｄ  Ｃｈａｎｎｅｌ）レイヤーの数に関する情報を取得し、
前記基地局から前記ＰＴＲＳを受信し、
前記取得された情報に基づいて決定されるＰＴＲＳパワーブースティングレベルに基づいて、前記ＰＴＲＳを処理し、
前記ＰＴＲＳに基づいて、位相トラッキング補償を行うように設定される、端末。
【請求項９】
前記取得された情報は、前記ＰＴＲＳのパワーブースティングのオン／オフ状態を示すＰＴＲＳパワーブースティング情報をさらに含む、請求項８に記載の端末。
【請求項１０】
前記ＰＴＲＳパワーブースティング情報は、ＲＲＣ（Ｒａｄｉｏ  Ｒｅｓｏｕｒｃｅ  Ｃｏｎｔｒｏｌ）シグナリングを介して前記端末に送信される、請求項９に記載の端末。
【請求項１１】
前記ＰＤＳＣＨレイヤーの数がＬであるとき、前記ＰＴＲＳパワーブースティングのレベル値は、数式
ＰＴＲＳパワーブースティングレベルのレベル値＝１０×ｌｏｇ２（Ｌ）
を満たす、請求項８に記載の端末。
【請求項１２】
前記ＰＤＳＣＨレイヤーの数は、前記ＰＴＲＳと関連したＤＭＲＳ（Ｄｅｍｏｄｕｌａｔｉｏｎ  Ｒｅｆｅｒｅｎｃｅ  Ｓｉｇｎａｌ）ポートの数に対応する、請求項８に記載の端末。
【請求項１３】
ＰＴＲＳパワーブースティングのレベル値は、前記ＰＴＲＳとＰＤＳＣＨ（Ｐｈｙｓｉｃａｌ  Ｄｏｗｎｌｉｎｋ  Ｓｈａｒｅｄ  Ｃｈａｎｎｅｌ）との間のＥＰＲＥ（Ｅｎｅｒｇｙ  Ｐｅｒ  Ｒｅｓｏｕｒｃｅ  Ｅｌｅｍｅｎｔ）比率に対応する、請求項８に記載の端末。
【国際調査報告】
2019535208.tif 000042
2019535208.tif 000043
2019535208.tif 000044
2019535208.tif 000045